(57)【特許請求の範囲】
【請求項１】
ローション薬液及びサイズ剤が付与されたティシュペーパーが収納箱に収納されたティシュペーパー製品であって、
収納箱上面の開口からティシュペーパーを引き出す際の引出し方向がティシュペーパーの横方向とされ、かつ、
前記ティシュペーパーが、２プライであり、その一方のプライは積層外面にローション薬液が付与され積層内面にサイズ剤が付与され、他方のプライはローション薬液を含むものである、ことを特徴とするティシュペーパー製品。
【請求項２】
ローション薬液及びサイズ剤が付与されたティシュペーパーが収納箱に収納されたティシュペーパー製品であって、
収納箱上面の開口からティシュペーパーを引き出す際の引出し方向がティシュペーパーの横方向とされ、かつ、
前記ティシュペーパーは、３プライであってコンタクトエンボスによって各プライが積層一体化されており、紙厚が１２０〜４００μｍであり、両外層のプライがローション薬液を含むものであり、中層のプライが一方面にサイズ剤が付与されたものである、ことを特徴とするティシュペーパー製品。
【請求項３】
ローション薬液及びサイズ剤が付与されたティシュペーパーが収納箱に収納されたティシュペーパー製品であって、
収納箱上面の開口からティシュペーパーを引き出す際の引出し方向がティシュペーパーの横方向とされ、かつ、
前記ティシュペーパーは、紙厚が１２０〜４００μｍであり、３プライであり、その両外層のプライのうちの一方のプライが、ローション薬液を含むものであり、両外層のプライのうちの他方のプライが、積層外面にサイズ剤が付与されたものであり、中層のプライがローション薬液を含むプライに対面する面にサイズ剤が付与されたものである、ことを特徴とするティシュペーパー製品。
【請求項４】
ローション薬液及びサイズ剤が付与されたティシュペーパーが収納箱に収納されたティシュペーパー製品であって、
収納箱上面の開口からティシュペーパーを引き出す際の引出し方向がティシュペーパーの横方向とされ、かつ、
前記ティシュペーパーは、紙厚が１２０〜４００μｍであり、３プライであり、その両外層の各プライが積層外面にサイズ剤が付与されたものであり、中層のプライが、ローション薬液を含むものである、ことを特徴とするティシュペーパー製品。
【発明の詳細な説明】
【技術分野】
【０００１】
本発明は、マルチスタンド式インターフォルダによって製造されるティシュペーパー製品に関するものである。
【背景技術】
【０００２】
ティシュペーパーの箱詰め製品は、一般的に、インターフォルダ（折り畳み設備）によって複数の連続するティシュペーパーを折り畳みながら積み重ね、所定の長さに切断するなどしてティシュペーパー束を得、このティシュペーパー束を収納箱（ティシュカートン）内に収納することによって製造される。
【０００３】
このようなインターフォルダの例として、下記特許文献１、２に開示されるようなマルチスタンド式インターフォルダや、下記特許文献３、４に開示されるようなロータリー式インターフォルダなどが知られている。
【０００４】
マルチスタンド式インターフォルダを用いた製造方法の従来例としては、次のようなものがある。すなわち、抄紙設備において薄葉紙を抄造して巻き取ることで一次原反ロール（一般にジャンボロールともいわれている）を製造し、次いで、この一次原反ロールをプライマシンにセットし、複数の一次原反ロールから繰り出した一次連続シートを重ね合わせて巻き取ると共にスリット（幅方向にティシュペーパー製品の製品幅又はその複数倍幅に分割）し、複数のプライからなる二次原反ロールを製造する。
【０００５】
プライマシンで製造された二次原反ロールは、プライマシンから取り出された後、必要な数だけマルチスタンド式インターフォルダにセットされる。次いで、二次原反ロールから二次連続シートを繰り出して、折り畳み機構部へ送り込み、ここで折り畳みながら積み重ね、その後、所定の長さに切断されてティシュペーパー束とし、収納箱内に収納する。
【０００６】
このようなマルチスタンド式インターフォルダを用いた製造方法は、他の折り畳み設備を用いた製造方法に比べて、多数（通常８０〜１２０基）の折り畳み機構を有しているため生産性が高いという利点を有している。そして、大量生産されている汎用のティシュペーパーは、かかるマルチスタンド式インターフォルダで生産されている。
【０００７】
他方、ティシュペーパー製品においては、保湿剤や柔軟剤などの薬液を付与されたものの需要が拡大しており、例えば下記特許文献５〜７に開示されるような製造方法や設備が種々提案されている。このようなティシュペーパー製品は、高級品として、ロータリー式インターフォルダで製造されるのが一般的である（例えば下記特許文献５）。しかし、ロータリー式インターフォルダは、加工方向と垂直方向に折り畳みと裁断を同時に行なうため、生産性が低いという欠点があり、かかる薬液が付与されたティシュペーパー製品の生産性の向上が求められている。
【０００８】
ところで、インフルエンザ等のウイルス性感冒や感染症の原因となるウイルス、病原菌は、その変異が著しく、流行時期、感染力が変化するため、日々の感染予防は重要である。
【０００９】
このようなウイルス、病原菌は、感染者の鼻水、唾といった体液を介して感染することから、感染を予防する手段としては、手洗い、うがい、マスクの着用が良く知られ、ウイルス等に接触しないようにすることが一般的である。
【００１０】
しかし、かかる非感染者が予防を行なったとしても、感染者等が鼻をかんだ際や口を拭いた際に、ティシュペーパーに鼻水等が素早く浸透して感染者の手などに付着し、これを起点としてウイルス等が拡散し、感染症の流行の原因となりうる。
【００１１】
このような背景から、従来製品と比較して、水分の浸透の遅く使用時に鼻水等が手に付着しにくいティシュペーパーの需要があり、そのような製品も市販に供されている。
【００１２】
従来、上記鼻水等が手に付着し難い製品は、大別して２つのタイプに分かれる。その１つの製造方法は、抄紙設備で製造した一次連続シートを数層積層した原反ロールを製造し、この原反ロールを別途のオフマシンコーターに移送し、そこで原反ロールから連続シートを巻きだして一方面に撥水剤等の水分の浸透を抑える薬剤を塗工した後、再度巻き取って撥水剤付与の原反ロールを製造し、これをロータリー式インターフォルダに移送し、撥水剤付与面が中層（積層内面）となるように他の一次連続シートと積層しつつ折り畳みを行なって三層（三プライ又は三枚重ね）以上積層の多プライの製品とする、極めて煩雑な製造方法を要している。このため極めて生産性が低く、また高価な特殊な製品となっている。また、オフマシンコーターでシリコーン類やパラフィン等の油性成分を撥水剤として塗布する場合には、撥水剤が他のシートに浸透してティシュペーパー表面の吸水性を妨害したり、その滑りのために加工原反の扱いが難しくなる問題があった。
【００１３】
他方、ティシュペーパーの水分の浸透性を遅くする技術としては、抄紙原料中にサイズ剤を入れて抄紙することで、紙層全体にサイズ性を付与することが知られる。
【００１４】
しかし、この従来技術は、脱水工程においてサイズ剤が流出するため歩留まりが極めて悪く、また、サイズ剤がヤンキードライヤーからの剥離性に影響を与えるためサイズ剤含有量の自由度が少なく、さらに紙表面のサイズ性の調整をすることもできないという欠点があり、上記浸透防止性にみあう十分にサイズ効果を得ることができない。
【００１５】
パルプ繊維に定着し疎水基側を外側に配向することで水分の浸透を抑制するサイズ剤を、オフマシンコーターで塗布することは衛生薄葉紙において一般的ではない。通常サイズ剤はドライヤーの加熱によって、その配向を促進させ効果を十分に発現することができるのだが、加熱が十分でない場合には、そのサイズ剤効果を発現させるのに時間を要する欠点がある。特別に乾燥装置を持たない衛生薄葉紙の加工設備においてサイズ剤を塗布することは、塗布量に見合ったサイズ効果が出なかったり、経過時間によりサイズ効果が不安定であるため、その品質を安定させるのに技術的な難しさがあった。
【００１６】
以上のような背景から、ティシュペーパーにおいては、保湿性、柔軟性の高いローション薬液が付与されたティシュペーパー製品と鼻水等の裏抜け防止性の高いティシュペーパー製品とが求められているものの、これらの製品は生産性が低く、極めて高価であった。また、保湿性等と高い裏抜け防止性を併せ持つような製品が市場にない。
【先行技術文献】
【特許文献】
【００１７】
【特許文献１】米国特許４０５２０４８号公報（特公昭５５−１２１５号公報）
【特許文献２】特開２００６−２４０７５０号公報
【特許文献３】特開昭６１−３７６６８号公報
【特許文献４】特開平５−１２４７７０号公報
【特許文献５】特開２００４−３２２０３４号公報
【特許文献６】特表２００８−５２５１０３号公報
【特許文献７】特開２００８−２６４５６４号公報
【発明の概要】
【発明が解決しようとする課題】
【００１８】
そこで、本発明者等は、まず、サイズ剤やローション薬液が付与されたティシュペーパー製品を、ロータリー式インターフォルダに比して生産性の高いマルチスタンド式インターフォルダを用いた製造方法で製造することを考えたものの、マルチスタンド式インターフォルダを用いた製造方法で製造するにあたって、プライマシンやマルチスタンド式インターフォルダとは別にローション薬液付与設備やサイズ剤付与設備を設けると、原反ロールの移送の手間や多大な設備コストがかかり、却って生産効率が低下する。
【００１９】
また、ローション薬液付与装置やサイズ剤付与装置をマルチスタンド式インターフォルダに設けると、ローション薬液やサイズ剤を付与するティシュペーパー製品を製造するライン（マルチスタンド式インターフォルダ）と、サイズ剤を付与しないティシュペーパー製品を製造するライン（マルチスタンド式インターフォルダ）とを分ける必要が生ずる。マルチスタンド式インダーフォルダはロータリー式インターフォルダよりも設置面積を要するためかかる方法も設置面積の点で難しい。
【００２０】
また、ローション薬液付与装置やサイズ剤付与装置をマルチスタンド式インターフォルダに設けるとなると、マルチスタンド式インターフォルダでは、多数の原反ロールから連続シートを折り畳み機構に送り込むため、すべての折り畳み機構部にローション薬液付与装置やサイズ剤付与装置を設置することになりこれも現実的ではない。
【００２１】
そこで、本発明の主たる課題は、従来の汎用性のある一般的なティシュペーパーの製造に用いられるマルチスタンド式インターフォルダを利用し、ローション薬液とサイズ剤を付与したるティシュペーパー製品を低コストかつ生産性高く製造するティシュペーパーの製造方法を提供することにある。さらに、ローション薬液及びサイズ剤の付与の有無を容易に切り替え可能であるティシュペーパー製品の製造方法を提供することにある。
【課題を解決するための手段】
【００２２】
上記課題を解決するための手段及びそれらの作用効果は次記のとおりである。
〔請求項１記載の発明〕
ローション薬液及びサイズ剤が付与されたティシュペーパーが収納箱に収納されたティシュペーパー製品であって、
収納箱上面の開口からティシュペーパーを引き出す際の引出し方向がティシュペーパーの横方向とされ、かつ、
前記ティシュペーパーが、２プライであり、その一方のプライは積層外面にローション薬液が付与され積層内面にサイズ剤が付与され、他方のプライはローション薬液を含むものである、ことを特徴とするティシュペーパー製品。
【００２３】
〔請求項２記載の発明〕
ローション薬液及びサイズ剤が付与されたティシュペーパーが収納箱に収納されたティシュペーパー製品であって、
収納箱上面の開口からティシュペーパーを引き出す際の引出し方向がティシュペーパーの横方向とされ、かつ、
前記ティシュペーパーは、３プライであってコンタクトエンボスによって各プライが積層一体化されており、紙厚が１２０〜４００μｍであり、両外層のプライがローション薬液を含むものであり、中層のプライが一方面にサイズ剤が付与されたものである、ことを特徴とするティシュペーパー製品。
【００２４】
〔請求項３記載の発明〕
ローション薬液及びサイズ剤が付与されたティシュペーパーが収納箱に収納されたティシュペーパー製品であって、
収納箱上面の開口からティシュペーパーを引き出す際の引出し方向がティシュペーパーの横方向とされ、かつ、
前記ティシュペーパーは、紙厚が１２０〜４００μｍであり、３プライであり、その両外層のプライのうちの一方のプライが、ローション薬液を含むものであり、両外層のプライのうちの他方のプライが、積層外面にサイズ剤が付与されたものであり、中層のプライがローション薬液を含むプライに対面する面にサイズ剤が付与されたものである、ことを特徴とするティシュペーパー製品。
【００２５】
〔請求項４記載の発明〕
ローション薬液及びサイズ剤が付与されたティシュペーパーが収納箱に収納されたティシュペーパー製品であって、
収納箱上面の開口からティシュペーパーを引き出す際の引出し方向がティシュペーパーの横方向とされ、かつ、
前記ティシュペーパーは、紙厚が１２０〜４００μｍであり、３プライであり、その両外層の各プライが積層外面にサイズ剤が付与されたものであり、中層のプライが、ローション薬液を含むものである、ことを特徴とするティシュペーパー製品。
【００２６】
【発明の効果】
【００２７】
本発明に係るティシュペーパー製品は、次記製造方法により製造できる利点がある。つまり、スリット手段でティシュペーパー製品の製品幅又はその複数倍幅となるよう製造されたティシュペーパー製品用二次原反ロールを、後段でマルチスタンド式インターフォルダに多数セットし、次いで、マルチスタンド式インターフォルダにセットされた二次原反ロールから二次連続シートを繰り出して、折り畳み機構部へ送り込み、ここで折り畳みながら積み重ね、その後、所定の長さに切断されてティシュペーパー束とし、収納箱内に収納して製造することができる。
【００２８】
そして、この本発明に係る製造方法では、ティシュペーパー製品用二次原反ロールの製造設備（プライマシン）においてローション薬液及びサイズ剤が付与された積層連続シートを巻取った二次原反ロールを製造することになるため、プライマシンやマルチスタンド式インターフォルダとは別にサイズ剤付与手段やローション薬液付与設備を設ける場合と比較して、設備コストを低く抑えることができる。また、サイズ剤やローション薬液を付与しない本発明以外の他のティシュペーパー製品を製造する場合は、ティシュペーパー製品用二次原反ロールの製造手段においてサイズ剤及びローション薬液の付与手段を省略或いはバイパスするだけで良いため、製造の切り替えが容易にできる。
【００２９】
また、プライマシン及びマルチスタンド式インターフォルダを用いるため、極めて高い生産性とすることができる。
【００３０】
他方、本発明に係るティシュペーパー製品では、プライマシンにおいて、サイズ剤を連続シートに付与することができる。すなわちサイズ剤を外添する態様である。したがって、従来の抄紙設備において抄紙原料にサイズ剤を内添する方法と比較して、ヤンキードライヤーでの剥離性に影響を与えることもないし、サイズ剤含有量を増加せしめることもでき、また、歩留まり等も改善される。さらに抄紙設備の各ローラ、抄紙網が汚れる等のおそれもない。
【００３１】
また、本発明では上述のとおり連続シートにサイズ剤を外添することにより製造ができ、連続シートの表面層部のパルプ繊維の表面にサイズ剤が定着している。これは、サイズ剤は、親水基、疎水基を有するため、本発明の態様で付与した場合、親水基がパルプ繊維（セルロース）に付着し、疎水基が外方を向いて配向するようになるためである。このため本発明ではサイズ剤付与面の特に表面部分に鼻水等の水分浸透抑制部位が形成され、これと反対面はかかる抑制機能を有さず、紙層内部のパルプ繊維の親水性が保持されるので、吸収速度や保水性が確保される。特に、２プライ以上として積層内面に空間を有するので、各々のプライのサイズ剤非付与面の繊維表面が親水性に保持されることにより保水性が十分に担保される。
【００３２】
さらに、本発明により製造されるティシュペーパーは、サイズ剤とともにローション薬液が付与されたものであり、サイズ剤の付与領域以外の領域にローション薬液が存在するので、保湿性、柔軟性において汎用製品よりも格段に優れる。
【００３３】
また、サイズ剤を外添とすることで、サイズ剤の種類、付与量、サイズ剤の浸透程度の調整ができるようになり、ティシュペーパーに適した、特に、体調や人によってさまざまな粘性を有する鼻水に広く対応できる本発明にかかる付与量、サイズ剤種とすることができる。特に、感冒時に多い粘性の低い鼻水は適度に内部への浸透が抑制される。
【００３４】
さらに、薬液付与手段としてフレキソ印刷方式を採用する場合、特にプライマシンの高速加工時にも十分に対応でき、もって生産性を好適に高めることができる。また、サイズ剤が樹脂性の刷版から連続シート表面へ転写される態様であり、サイズ剤種類、付与量、付与時の薬液粘性、表面張力等によって連続シート内への浸透程度を調整することが可能であり、サイズ剤を効果的に付与面の特に表層部に位置せしめることが可能となる。
【００３５】
他方、適度な表面層へのサイズ剤の付与は、付与面の表面エネルギーを低下させ、摩擦を軽減させる効果がある。すなわち、ティシュペーパーを滑らかにする効果を奏する。したがって、本発明においてサイズ剤がティシュペーパーの表面に位置する態様では滑らかさも向上される。この効果は、本発明の製造方法では特徴的に際立って向上される効果でもある。すなわち、本発明では、サイズ剤を付与した二次連続シートをマルチスタンド式インターフォルダによって折り畳み加工を行なう。マルチスタンド式インターフォルダでは、プルコンベアでの引張りと厚み方向の圧縮が行なわれるとともに、二次連続シートが引き伸ばされながら折板と摺れるようにして搬送される。そして、かかるマルチスタンド式インターフォルダ特有の二次連続シート搬送に伴い、二次連続シート表面に固形状態で位置するミクロ的なサイズ剤面がならされ表面の滑らかさが向上するのである。
【００３６】
以上のとおり、本発明ではローション薬液及びサイズ剤が付与されたティシュペーパーは、特に高い生産性で製造することができる。また、本発明によれば、ティシュペーパーの柔軟性、保湿性、滑らかさ等の品質も向上する。
【図面の簡単な説明】
【００３７】
【図１】抄紙設備における一次原反ロールの製造方法を示す概略図である。
【図２】第１の実施形態にかかるプライマシンでの二次原反ロールの製造方法例を示す概略図である。
【図３】第１の実施形態にかかる二次原反ロールでの薬液浸透過程を示す概略図である。
【図４】コンタクトエンボス付与工程を示す概略図である。
【図５】マルチスタンド式インターフォルダの一例を示す概略図であり、正面から見た状態を示している。
【図６】マルチスタンド式インターフォルダの一例を示す概略図であり、側面から見た状態を示している。
【図７】マルチスタンド式インターフォルダの一例を示す概略図であり、正面から見た状態を示している。
【図８】折り畳まれたティシュペーパーの縦断面図である。
【図９】（ａ）ティシュペーパー束を収納箱に収納している様子を示す図である。（ｂ）収納箱に収納されたティシュペーパーの取出す様子を示す一部破断図である。
【図１０】折り板に関する部位の要部拡大斜視図である。
【図１１】二次連続シート（ティシュペーパー）の折り畳み方を示す要部拡大斜視図である。
【図１２】二次連続シート（ティシュペーパー）の折り畳み方を示す要部拡大斜視図である。
【図１３】二次連続シート（ティシュペーパー）の折り畳み方を示す要部拡大斜視図である。
【図１４】第２の実施形態にかかるプライマシンでの二次原反ロールの製造方法例を示す概略図である。
【図１５】第２の実施形態にかかる二次原反ロールでの薬液浸透過程を示す概略図である。
【図１６】第３の実施形態にかかるプライマシンでの二次原反ロールの製造方法例を示す概略図である。
【図１７】第３の実施形態にかかるサイズ剤及び薬液付与後の積層連続シートの断面を示す概略図である。
【図１８】フレキソ印刷機の一例を説明するための概略図である。
【図１９】ドクターチャンバー式フレキソ印刷装置の一例を示す概略図である。
【図２０】薬液供給装置の導出部の例を説明するための概略図である。
【図２１】薬液供給装置の他の導出部の例を説明するための概略図である。
【図２２】薬液供給装置の別の導出部の例を説明するための概略図である。
【図２３】薬液供給装置で用いられるドクターチャンバーの構造を説明する図であって、（Ａ）は２つの導入部と１つの導出部を有する構造を示し、（Ｂ）は３つの導入部と２つの導出部を有する構造を示し、（Ｃ）は導入部及び導出部がそれぞれ同数存在する構造を示している。
【図２４】２ロール式フレキソ印刷装置の一例を示す概略図である。
【図２５】薬液噴霧装置による薬液付与例を示す概略図である。
【図２６】薬液噴霧装置による薬液付与例を示す他の概略図である。
【図２７】薬液噴霧装置例の概略図である。
【図２８】他の薬液噴霧装置例の概略図である。
【図２９】ローターダンプニング方式の薬液噴霧装置例の概略図である。
【図３０】インクジェット式印刷装置による薬液付与例を示す概略図である。
【図３１】インクジェット式印刷装置のインクヘッドを示す概略図である。
【図３２】カーテンコーターを示す概略図である。
【図３３】ティシュペーパーのＭＭＤ値の測定方法を示す図である。
【発明を実施するための形態】
【００３８】
次に、本発明の実施形態を説明する。なお、図中の矢印ＨＤは水平方向を、矢印ＬＤは上下方向を示している。
【００３９】
『第１の実施形態：基本形態（両外面付与）』
〔抄紙工程：一次原反ロールの製造方法及び製造設備〕
本発明にかかる一次原反ロールＪＲ（ジャンボロールとも称される）は、図１に示す抄紙設備例Ｘ１により、以下のようにして製造することができる。
【００４０】
まず、ヘッドボックスからパルプスラリーに適宜の薬品を添加して予め調整した紙料がワイヤーパートのワイヤ上に供給して湿紙Ｗを形成する（フォーミング工程：図示しない）。
【００４１】
次にこの湿紙Ｗをプレスパート３１のボトムフェルト３１Ｂに移送し、その後、トップフェルト３１Ｔ及びボトムフェルト３１Ｂに挟持したまま、トップロール３２とボトムロール３３の間を通過させて搾水する（脱水工程）。
【００４２】
その後、搾水された湿紙Ｗを、トップフェルト３１Ｔに載せた状態で、タッチロール３４を介してヤンキードライヤー３５の表面に付着させて乾燥させた後にドクターブレード３６によって掻き剥がしてドライクレープを有する乾燥原紙Ｓ１（後述の一次連続シート）とする（乾燥工程）。ここで、湿紙の状態でクレープを行なうウェットクレープではなくドライクレープとすることでティシュペーパーに適した柔らかなクレープ加工紙となる。
【００４３】
そして、このクレープ加工された乾燥原紙Ｓ１をワインディングドラム３７を有する巻き取り手段３８によって、前記乾燥原紙Ｓ１の裏面が一次原反ロールＪＲの軸側に対向するようして（巻き取り内面となるようにして）巻き取り、一次原反ロールＪＲとする（一次原反巻き取り工程）。
【００４４】
かかる一次原反ロールＪＲは、抄紙設備Ｘ１の性能によっても相違するが、概ね直径が１０００〜５０００ｍｍ、長さ（幅）が１５００〜９２００ｍｍ、巻き長さが５０００〜８００００ｍである。
【００４５】
なお、一次原反巻き取り工程の前段にドクターブレード３６により掻き剥がした乾燥原紙Ｓ１に対してカレンダー工程（図示せず）を設け表裏面の平滑化処理をしてもよい。
【００４６】
ここで、乾燥原紙Ｓ１の裏面とは、ヤンキードライヤー３５のシリンダと接していた面の反対側の面のことを意味する。なお、カレンダー工程の有無にもよるが一般には鏡面のヤンキードライヤーに接していた表面のほうが滑らかで表面性に優れる。
【００４７】
ここで、一次原反ロールＪＲを構成する一次連続シートＳ１は、後にティシュペーパーに加工されるものであり、最終製品を構成するティシュペーパーとほぼ同等の坪量となる。従って、これを考慮して一次連続シートＳ１は具体的にはＪＩＳ Ｐ ８１２４による坪量が、１０〜３０ｇ／ｍ2、好ましくは１２〜２５ｇ／ｍ2、より好ましくは１３〜２０ｇ／ｍ2とする。坪量が１０ｇ／ｍ2未満であると、ティシュペーパーの柔らかさの点においては好ましいが、使用時の適正な強度の確保することが難しくなるとともに、後段のマルチスタンド式インターフォルダにおける加工が困難となる。さらに、鼻水等の裏抜けが効果的に防止することが困難となる。他方、坪量が３０ｇ／ｍ2を超えると、ティシュペーパーが硬くなりすぎて、肌触りが悪化する。特に鼻水をかんだときにごわついた感じがするようになり使用感が悪化する。
【００４８】
また、紙厚（尾崎製作所製ダイヤルシックネスゲージにより測定）は５０〜２００μｍ、好ましくは６０〜１４０μｍ、より好ましくは１３０〜１８０μｍとするのが望ましい。
【００４９】
本発明にかかるティシュペーパーでは製品時の紙厚が１２０〜４００μｍ、特に１５０〜３５０μｍであるのが望ましく、特にこれを２プライ〜３プライで達成するのが望ましい。上記一次連続シートＳ１の紙厚とするとティシュペーパーの製品時の当該範囲とすることができる。そして、製品時の紙厚が、１２０μｍ未満であると十分な紙力かつ鼻水の裏抜け防止性を達成するのが困難となり、４００μｍをこえると特に鼻水をかんだときにごわついた感じがするようになり使用感が悪化する。
【００５０】
また、一次連続シートＳ１は、クレープ率が８〜３０％、好ましくは１０〜２２％である。クレープ率が８％未満であると、後段の加工時に断紙しやすいとともに伸びの少ないコシのないティシュペーパーとなる。他方、クレープ率が３０％超過であると、加工時のシートの張力コントロールが難しく断紙しやすくなり、また、製造後にはシワが発生して見栄えの悪いティシュペーパーとなりやすくなる。
【００５１】
ここで、クレープ率とは、下式で表わされるものとする。
クレープ率：｛（製紙時のドライヤーの周速）−（リール周速）｝／（製紙時のドライヤーの周速）×１００。
【００５２】
また、一次連続シートＳ１は、ＪＩＳ Ｐ ８１１３に規定される乾燥引張強度（以下、乾燥紙力ともいう）の縦方向が、２プライで２００〜７００ｃＮ／２５ｍｍ、好ましくは２５０〜６００ｃＮ／２５ｍｍ、特に好ましくは３００〜６００ｃＮ／２５ｍｍとし、他方、横方向が、２プライで１００〜３００ｃＮ／２５ｍｍ、好ましくは１３０〜２７０ｃＮ／２５ｍｍ、特に好ましくは１５０〜２５０ｃＮ／２５ｍｍとするのが望ましい。原紙の乾燥引張強度が低すぎると、製造時及び使用時の断紙や伸び等のトラブルが発生し易くなり、高過ぎると使用時にごわごわした肌触りとなる。
【００５３】
これらの紙力は公知の方法により調整でき、例えば、乾燥紙力増強剤を紙料或いは湿紙に内添する、紙料のフリーネスを低下（例えば３０〜４０ｍｌ程度低下）させる、原料パルプのＮＢＫＰ配合率を適宜変更する等の既知の手法を適宜組み合わせることができる。
【００５４】
なお、乾燥紙力剤としては、澱粉、ポリアクリルアミド、ＣＭＣ（カルボキシメチルセルロース）若しくはその塩であるカルボキシメチルセルロースナトリウム、カルボキシメチルセルロースカルシウム、カルボキシメチルセルロース亜鉛等を用いることができる。湿潤紙力剤としては、ポリアミドポリアミンエピクロルヒドリン樹脂、尿素樹脂、酸コロイド・メラミン樹脂、熱架橋性塗工ＰＡＭ等を用いることができる。
【００５５】
乾燥紙力剤を内添する場合、その添加量はパルプスラリーに対する重量比で０．５〜１．０ｋｇ／ｔ程度とすることができる。
【００５６】
ここで、本発明にかかるティシュペーパーにおいては、鼻かみ、鼻紙等の体液の拭取り用途に用いられることから湿潤紙力剤は内添するのが望ましい。この湿潤紙力剤はポリアミドポリアミンエピクロルヒドリン樹脂などの強いカチオン性のものが好適に用いられる。この場合、その湿潤紙力剤の添加量はパルプスラリーに対して、重量比で５．０〜２０．０ｋｇ／パルプｔとするのが望ましい。更には、後述するアニオン性もしくはカチオン性を持つ両性サイズ剤との結合を考慮し、７．０〜１８．０ｋｇ／パルプｔとするのがより望ましい。より好ましくは９．０〜１５．０ｋｇ／パルプｔとするのがさらに望ましい。５．０ｋｇ／パルプｔ未満ではティシューに必要な湿潤紙力が得られないのと同時に、サイズ剤の定着が遅くなりサイズ剤の効果が十分に発現しない。２０．０ｋｇ／パルプｔ超とすれば、カチオン性の強い湿潤紙力剤が抄紙原料中の微細繊維を集め、ティシューの紙質を硬くしたり、あるいは白水系を含む系内でアニオン性物質をトラップし、凝集物の原因となりシートに異物を混入させる恐れがある。
【００５７】
ここで、一次原反ロール（一次原反シート）の原料となる紙料について説明すると、紙料は繊維原料としてパルプを主原料とするスラリー（パルプスラリー）に適宜の薬品を添加したものである。
【００５８】
本発明においては、原料パルプは特に限定されず、ティシュペーパーに用いられる適宜の原料パルプを選択して使用することができる。  
【００５９】
好ましくは、原料パルプは、ＮＢＫＰとＬＢＫＰとを配合したものが好ましい。また、古紙パルプが配合されていてもよいが、得られるティシュペーパーの風合いの点でも望ましいことから、バージンパルプのＮＢＫＰとＬＢＫＰのみから構成されているのがよい。その場合の配合割合としては、ＮＢＫＰ：ＬＢＫＰ＝２５：７５〜４０：６０が望ましい。この範囲であると紙力と柔らかさのバランスが優れるものとなる。
【００６０】
紙料に添加する薬品例としては、上記乾燥紙力増強剤、湿潤紙力増強剤のほか剥離剤、接着剤、ｐＨ調整剤、粘剤、消泡剤、防腐剤、スライムコントロール剤、染料、などが挙げられる、なお、これらの薬品は、適宜の工程で湿紙に付与してもよい。
【００６１】
〔プライマシンにおける工程：二次原反ロールの製造方法及び製造設備〕
本発明においては、抄紙設備Ｘ１で製造された一次原反ロールＪＲを、図２に例示するプライマシンＸ２において、特徴的に、水系のローション薬液とサイズ剤とが付与された二次原反ロールＲを製造する。
【００６２】
本第１の実施形態では、このプライマシンＸ２が、重ね合わせ部５１、プライ剥離部５７、ローション薬液及びサイズ剤の付与手段５３、再重ね合わせ部５８、コンタクトエンボス付与手段５４、スリット手段５５、巻き取り手段５６を有し、かかるプライマシンＸ２において水系のローション薬液とサイズ剤が付与された積層連続シートを巻取った二次原反ロールＲを製造する。以下、各手段、各部における工程についてさらに詳述する。
【００６３】
（積層工程：重ね合わせ部、積層手段）
本第１の実施形態にかかるプライマシンＸ２は、一次原反ロールＪＲを２つ以上セット可能であり、各一次原反ロールＪＲ，ＪＲから繰り出した一次連続シート（図示例ではＳ１１、Ｓ１２）は、その連続方向に沿って積層して積層連続シートＳ２とする重ね合わせ部（積層手段）５１に供給されるように構成されている。ここで重ね合わせ部５１はガイドロール或いは一対のニップロールで構成され、各一次連続シートＳ１１，Ｓ１２を積層して各一次連続シートを積層する。
【００６４】
なお、図示例では、各一次原反ロールＪＲ，ＪＲから繰り出される一次連続シートＳ１１，Ｓ１２の表面が、それぞれ積層連続シートＳ２の表面（ここで積層連続シートの「表面」とは積層外面である積層連続シートＳ２の表裏面のことである）となるようして重ね合わせ部５１に供給されるようになっている。一次連続シートＳ１１，Ｓ１２の裏面がそれぞれ積層連続シートＳ２の表面となるよう構成してもよいし、一次連続シートＳ１１，Ｓ１２のどちらか一方の裏面が積層連続シートＳ２の表面となり、他方の表面が積層連続シートＳ２の表面となるようしてもよいが、一次原反シートＳ１１，Ｓ１２の表面は、乾燥時にヤンキードライヤー５７の表面に接していることから裏面と比較して毛羽立ちが少なく滑らかで肌触りが良いので、一次連続シート（乾燥原紙Ｓ１）の表面が積層連続シートＳ２の表裏面を構成するようにするのが望ましい。
【００６５】
また、図示例では一次原反ロールＪＲを２つセットしていわゆる２プライの積層連続シートを巻取る例であるが、３セット、４セットとして３プライ、４プライの積層連続シートを巻取るようにすることも可能である。
【００６６】
（カレンダー工程）
他方、本発明にかかるプライマシンＸ２においては、重ね合わせ部５１から巻き取り部５６までの間にカレンダー部５２を一つ以上設けて積層連続シートＳ２に対してカレンダー加工をすることができる。図示例では、好ましく、重ね合わせ部５１の後段であってプライ剥離部の前段に設けて連続シートＳ１１、Ｓ１２が積層された状態でカレンダー処理を行なえるようにしている。
【００６７】
カレンダー部５２におけるカレンダーの種別は、特に限定されないが、表面の平滑性向上と紙厚の調整の理由からソフトカレンダー又はチルドカレンダーとすることが好ましい。ソフトカレンダーとは、ウレタンゴム等の弾性材を被覆したロールを用いたカレンダーであり、チルドカレンダーとは金属ロールからなるカレンダーのことである。
【００６８】
カレンダー部の数は、適宜変更することができる。複数設置すれば加工速度が速くとも十分に平滑化できるという利点を有する一方、一つであるとスペースが狭くとも設置可能であるという利点を有する。
【００６９】
二つ以上のカレンダー部を設置する場合、水平方向、上下方向、或いは斜め方向に並設することができ、また、これらの設置方向を組み合わせて配置することができる。水平方向に並設すると、抱き角度を小さくなるため加工速度が高速とすることができ、上下方向に並設すると設置スペースを小さくすることができる。なお、ここで言う抱き角度とはロールの軸中心から見てシートが接している間（軸と直行する断面の円弧の一部）の角度を意味する（以下同じ）。
【００７０】
カレンダー加工におけるカレンダー種別、ニップ線圧、ニップ数なども制御要因として抄紙を行うようにし、これらの制御要因は、求めるティシュペーパーの品質すなわち紙厚や表面性によって適宜変更することが好ましい。
【００７１】
カレンダー加工を行なうことでティシュペーパーの表面が平滑になりそれのみで滑らかさが向上する。また、特に本発明では、サイズ剤が紙面表面（表層部）に均一に付与されることになり、より一層の滑らかさの向上が図られる。
【００７２】
（プライ剥離工程）
本第１の実施形態にかかるプライマシンＸ２は、カレンダー部５２の後段に積層連続シートＳ２を一次的に各連続シートＳ１１，Ｓ１２に分離されるプライ剥離部５７が設けられている。このプライ剥離部５７は、積層連続シートＳ２を構成する各連続シートＳ１１，Ｓ１２がそれぞれ後段の別の搬送経路となるように適宜にガイドローラを設けることで構成することができる。特段、プライ剥離のための剥離装置等を別途に設ける必要はない。
【００７３】
本第１の実施の形態では、このプライ剥離部５７によって一次的にプライ剥離された一方の連続シートＳ１１がローション薬液及びサイズ剤の付与手段５３に供給され、他方の連続シートＳ１２がローション薬液及びサイズ剤の付与手段５３をバイパスするようになっている。
【００７４】
なお、図に示す例では、二枚の一次連続シートＳ１１，Ｓ１２を重ね合わせ部５１で重ねた２プライの積層連続シートＳ２をプライ剥離させたのでプライ剥離部後の各連続シートはそれぞれ単層の連続シートＳ１１，Ｓ１２となるが、原反ロール支持部に３セット、４セットの一次原反ロールをセットして重ね合わせ部で３プライ、４プライの積層連続シートとした場合には、プライ剥離部５７において１プライ（単層）の連続シートと２プライ（２枚積層）の連続シートに分けるなど、適宜の積層数の連続シートに剥離することができる。
【００７５】
（ローション薬液・サイズ剤付与工程）
本第１の実施の形態では、プライマシンＸ２は、ローション薬液及びサイズ剤の付与手段５３を有し、プライ剥離部５７で分離された一方の連続シートＳ１１がローション薬液及びサイズ剤の付与手段５３に供給され、そこで当該連続シートＳ１１の各面に対して連続的に水系のローション薬液とサイズ剤と付与するローション薬液・サイズ剤与工程が行なわれる。
【００７６】
ローション薬液・サイズ剤付与手段５３は、複数の付与装置で構成され、図示例では、二機のドクターチャンバー式フレキソ印刷機５３Ａ，５３Ｂが連設されて配置され、前段のフレキソ印刷機５３Ａで連続シートＳ１１の一方面にサイズ剤が付与され、後段のフレキソ印刷機で水系のローション薬液が前記連続シートＳ１１の他方面に付与される。
【００７７】
なお、図示例では、先にサイズ剤を付与し、後にローション薬液を付与する態様であるが、同時に付与してもよい。
【００７８】
他方、連続シートＳ１１は、後に再重ね合わせ部５７でローション薬液・サイズ剤付与をバイパスされた他の連続シートＳ１２と積層されることになる。連続シートＳ１１にローション薬液とサイズ剤と付与するにあたっては、後に他の連続シートＳ１２と積層された後に積層連続シートＳ２の外面となる面にローション薬液を付与し、積層内面となる面（他の連続シートＳ１２と対面する面）にサイズ剤を付与するのが望ましい。図示例ではこのようになっている。このようにすると、まず、ティシュペーパーとした時に、ローション薬液が付与された面が外面となるためローション薬液に起因する表面の柔軟性、保湿性に優れたものとなる。
【００７９】
ここで、複数の付与装置を設置する場合、各装置は、水平方向、上下方向、或いは斜め方向に並設しても良く、水平方向を含めたこれらの設置方向を組み合わせて配置しても良い。水平方向に並設すると抱き角度を小さくすることができるため、加工速度を高速とすることができ、上下方向に並設すると水平方向における設置スペースを小さくすることができる。
【００８０】
プライマシンＸ２にて連続シートＳ１１に対する、ローション薬液、サイズ剤の付与は、フレキソ印刷、グラビア印刷、スプレー塗工、インクジェット印刷、カーテンコーターを採用することができる。もちろんサイズ剤の付与は実際にはサイズ剤を含むサイズ薬液を付与することになる。
【００８１】
但し、プライマシンＸ２の高速性に対応でき、しかも刷版の柔軟性、高速対応性、薬液の飛散防止、付与量の調整が容易である等の要件からフレキソ印刷が適する。紙面に刷版ロール等を接触させないことから紙厚の低下を招かないという点では、刷版ロール等を用いず直接的に薬液を紙面に塗工する非接触形の塗工形態であるスプレー塗工、インクジェット印刷、カーテン塗工が望ましい。但し、これらの非接触式の塗工は薬液の均一付与、塗工量の調整がフレキソ印刷等のロール転写式の付与手段と比較して高速性の点では劣る。従って、本発明においては、ロール転写方式のほうが望ましく、総合的にはフレキソ印刷が最も望ましい。なお、ローション薬液の付与装置とサイズ剤の付与装置とは同一の形式のものとする必要はない。
【００８２】
ここで、サイズ剤の付与量は、０．０５〜５．０ｇ／ｍ2、好ましくは０．１〜４．５ｇ／ｍ2、より好ましくは０．２〜４．０ｇ／ｍ2とする。４．０ｇ／ｍ2超過であると、ティシュペーパーに必要な鼻水等を吸液する吸液性が悪化するおそれが高まる。０．０５ｇ／ｍ2未満であるとサイズ剤による鼻水等の浸透防止性の向上が十分に発揮されなくなる。
【００８３】
本発明に用いるサイズ剤の種類は、中性領域で効果を奏するサイズ剤であれば特に限定されないが、パルプ繊維に定着し易く、サイズ性の安定しているものが特に望ましい。かかるサイズ剤は、紙面への付与後、パルプ繊維に定着し経時的にサイズ効果が発現して鼻水等の水分の浸透防止効果が発現し、特に製品化後に安定化する。
【００８４】
ここで、本発明に特に好適なサイズ剤のより具体的な例は、アルキルケテンダイマー（ＡＫＤ）、アルケニル無水琥珀酸（ＡＳＡ）、中性ロジンサイズ剤、スチレン系サイズ剤、アクリル系サイズ剤、オレフィン系サイズ剤である。ワックス、ステアリン酸、シリコーン樹脂なども水分の浸透を抑える薬剤ではあるが、撥水性が高くティシュペーパーの吸水を必要以上に抑制するため本発明には適さない。
【００８５】
他方、サイズ剤は、大別してカチオン性、アニオン性、両性、ノニオン性の４種類があるが、アニオン性のものが好適である。本発明においては、上述のとおり抄紙設備において乾燥原紙（Ｓ１）を抄紙する際に、好適にカチオン性の湿潤紙力剤を用いる。この場合においてサイズ剤をアニオン性のものとすると、紙中の上記カチオン性湿潤紙力剤と反応して紙のへの定着率が高まる。さらに好適にはカチオン性のある両性のサイズ剤が適する。アニオン性を帯びているパルプ繊維がサイズ剤のカチオン基と結合し、さらにパルプ繊維に定着しているカチオン性の湿潤紙力剤がサイズ剤のアニオン基と結合するため、サイズ剤が定着し易くなるためである。水解性を持たせるなどの特徴を有する衛生薄葉紙製造の場合には、湿潤紙力剤等のカチオン性物質のない、もしくは少ない場合にはカチオン性のサイズ剤が、直接パルプ繊維と結合し効果を発現するため適する。
【００８６】
他方、本発明においてはサイズ剤とともに連続シートＳ１１に対して、界面活性剤を付与するのが望ましい。界面活性剤を付与すると厚み感のある柔らかい紙質となる。このように界面活性剤を付与する場合には、特にノニオン性界面活性剤であるのが望ましい。ノニオン性界面活性剤は、連続シートＳ１１に付与した際に、紙層内へ浸透し紙層内部領域の親水性、保水性を向上させる効果を奏し、表層域にとどまるサイズ剤との併用により、鼻水等の裏抜け防止効果が高まる。
【００８７】
なお、サイズ剤とともに界面活性剤を付与するにあたっては、サイズ剤を含むサイズ薬液中に界面活性剤を配合し、上記サイズ剤付与装置５３において連続シートＳ１１に対して付与すればよい。なお、サイズ剤と界面活性剤を混合して塗布する場合、互いに凝集や増粘などを起こさないような組み合わせが必要である。
【００８８】
サイズ剤付与手段５３（サイズ剤付与工程）で付与するサイズ薬液については、粘度は４０℃で１〜１００ｍＰａ・ｓが望ましい。より好ましくは１〜５０ｍＰａ・ｓ（４０℃）である。１ｍＰａ・ｓより小さいと特に、サイズ薬液が飛散しやすくなり、逆に１００ｍＰａ・ｓより大きいと、サイズ剤をティシュペーパー表面に均一に被覆することができなくなる。
【００８９】
また、サイズ剤付与時のサイズ薬液の温度は３０℃〜６０℃、好ましくは３５℃〜５５℃とすることが好ましい。この温度範囲であれば、塗布するサイズ剤の粘度や物性が安定する。
【００９０】
なお、本願発明で使用するサイズ剤は澱粉溶液等の紙層を被覆するものを含まない。澱粉溶液、ポリアクリルアミド、その他の樹脂とともにサイズ剤を被覆すると、衛生薄葉紙の表面に樹脂が固着するため、シートが硬くなったり、ガサガサした表面となり、本来必要とされる衛生薄葉紙の品質特性失う。
【００９１】
本願発明では、サイズ剤を水で任意の倍率で希釈して粘度を調整し塗布することが可能である。本願発明のサイズ性の効果を十分に発現するためには、フレキソ版等の網点面積率を高く設定し、ティシュペーパーの表面を均一に被覆し、表面のパルプ繊維を被覆していない部分を実質的に残さないことが肝要である。
【００９２】
他方、本発明に用いるローション薬液は、水系のローション薬液であり、その成分は、水及びポリオールを含むものである。特にポリオールを７０〜９０％、水分を１〜１５％を含むのが望ましく、さらに機能性薬品を０．０１〜２２％含むものであるのがより望ましい。
【００９３】
前記ポリオールとしては、グリセリン、ジグリセリン、プロピレングリコール、１，３−ブチレングリコール、ポリエチレングリコール、およびその誘導体等の多価アルコール、ソルビトール、グルコース、キシリトール、マルトース、マルチトール、マンニトール、トレハロース等の糖類が挙げられる。
【００９４】
上記成分のうち、グリセリン、プロピレングリコール等の多価アルコールを主成分とすることが、滑らかさ、保湿性等の官能高価、及び薬液の粘度、付与量を安定させる上で好ましい。
【００９５】
前記機能性薬剤としては、柔軟剤、界面活性剤、無機および有機の微粒子粉体、油性成分などがある。柔軟剤、界面活性剤はティシューに柔軟性を与えたり表面を滑らかにする効果があり、アニオン性界面活性剤、カチオン性界面活性剤及び両性イオン界面活性剤を適用する。無機および有機の微粒子粉体は表面を滑らかな肌触りとする。油性成分は滑性を高める働きがあり、流動パラフィン、セタノール、ステアリルアルコール、オレイルアルコール等の高級アルコールを用いることができる。
【００９６】
また機能性薬剤としてポリオールの保湿性を助けたり、維持させる薬剤として親水性高分子ゲル化剤、コラーゲン、加水分解コラーゲン、加水分解ケラチン、加水分解シルク、ヒアルロン酸若しくはその塩、セラミド等の１種以上を任意の組合せ等の保湿剤を加えることができる。
【００９７】
また機能性薬剤として各種天然エキス等のエモリエント剤、ビタミン類、配合成分を安定させる乳化剤、薬液の発泡を抑え付与を安定させるための消泡剤、防黴剤、有機酸などの消臭剤を適宜配合することができる。さらには、ビタミンＣ、ビタミンＥの抗酸化剤を含有させてもよい。
【００９８】
また、水系のローション薬液はシートに塗工した場合にシートを構成するパルプ繊維との親和性に優れ、シートの厚み方向（Ｚ方向とも称される）に含浸し、シート全体及びその表面性を改質するように作用する。
【００９９】
本発明はかかる水系のローション薬液を十分な量、用いつつも安定的かつ高速に生産することができ、保湿性（しっとり感）、柔軟性（柔らかさ感）、表面の滑らかさ性（滑らかさ感）の向上と生産性の向上が図られるのである。
【０１００】
他方、ローション薬液の付与量は、１．５〜５．０ｇ／ｍ2、好ましくは２．０〜４．５ｇ／ｍ2、より好ましくは２．４〜３．０ｇ／ｍ2とする。５．０ｇ／ｍ2超過であると、紙力低下や伸びなどにより断紙したり、品質的にべたつき感が過ぎる場合も出てくるとともに、後述のマルチスタンド式インターフォルダでの加工が困難となる。１．５ｇ／ｍ2未満であると滑らかさやしっとり感など未塗工品との品質差を感じられなくなってしまう。より好ましく、２．４〜３．０ｇ／ｍ2とすると厚み感、しっとり感といった官能評価において極めて優れたものとなる。
【０１０１】
他方、薬液付与装置５３Ｂで付与する際のローション薬液の温度は３０℃〜６０℃、好ましくは３５℃〜５５℃とすることが好ましい。
【０１０２】
また、薬液付与装置５３Ｂで付与する際のローション薬液は、粘度が４０℃で１〜７００ｍＰａ・ｓが望ましい。より好ましくは５０〜４００ｍＰａ・ｓ（４０℃）である。１ｍＰａ・ｓより小さいと特に、薬液が飛散しやすくなり、逆に７００ｍＰａ・ｓより大きいと安定した付与量とするコントロールがしにくくなる。
【０１０３】
（積層工程：再重ね合わせ部、再積層手段）
本第１の実施形態にかかるプライマシンＸ２は、上記プライ剥離部５７で分けられた各連続シートＳ１１，Ｓ１２を再度積層する再重ね合わせ部５８を有し、この再重ね合わせ部５８で、ローション薬液及びサイズ剤の付与手段５３を経てローション薬液とサイズ剤が各面に付与された連続シートＳ１１と前記ローション薬液及びサイズ剤の付与手段５３をバイパスされた連続シートＳ１２とが積層される。
【０１０４】
ここで再重ね合わせ部５８の具体的な構成は、上述の重ね合わせ部５１と同様である。すなわち、再重ね合わせ部５８は、ガイドロール或いは一対のニップロールで構成され、各連続シートＳ１１，Ｓ１２を積層する。
【０１０５】
この再積層の際には、各連続シートＳ１１，Ｓ１２は、上述のローション薬液・サイズ剤付与工程の欄でも述べたとおり、連続シートＳ１１のローション薬液付与面が積層連続シートＳ２の表面（ここで積層連続シートの「表面」とは積層外面）となるようして再重ね合わせ部５８に供給される。
【０１０６】
（コンタクトエンボス付与工程）
本第１の実施形態にかかるプライマシンＸ２は、コンタクトエンボス付与手段５４を有し、水系ローション薬液及びサイズ剤が付与された積層連続シートＳ２がコンタクトエンボス手段５４に供給される。コンタクトエンボス付与手段５４は、図４に示すように、金属ロール又は弾性ロールである受けロール５４Ｂと表面に細かい凸部５４Ｃを有する金属製で硬質のコロ５４Ａとが所定の圧力を有して相互に外周面同士を当接しつつ、それぞれ回転可能に設置されている。そして、積層連続シートＳ２におけるティシュペーパー製品の幅Ｌ１の幅方向中央に該当する部分に対して、左右各２つずつ存在する凸部５４Ｃと、受けロール５４Ｂとの間で積層連続シートＳ２を挟みつつ搬送することで、積層連続シートＳ２に対して、積層連続シートＳ２の連続方向に沿って層間剥離を防止するライン状のコンタクトエンボスＣＥを施すようになっている。
【０１０７】
尚、このコンタクトエンボスＣＥを施すコロ５４Ａと対向した側の面を外周側として後段の巻取り手段５６にて積層連続シートＳ２を巻取ることになる。
【０１０８】
このようにコンタクトエンボスＣＥを付与することによって、複数の一次連続シート（Ｓ１１、Ｓ１２）を積層して成る積層連続シートＳ２の層間剥離が防止される。
【０１０９】
また、このコンタクトエンボス付与工程５４において、本実施形態ではコロ５４Ａとして表面に細かい凸部５４Ｃを有した金属製で硬質のコロ５４Ａを用いたが、二次連続シートＳ２に対して層間剥離を防止するライン状の接合部分が形成できればよく、例えばコロ５４Ａの替りに、表面に細かい針状の部材を有したローラをコロとすることもできる。
【０１１０】
さらに、接合する為の手段としては上記例に限定されず、凸部の先端形状が、点状、正方形、長方形、円形、楕円形等の形状のものをコロとして用いても良く、凸部の先端形状が、細長い線状、細く斜めに伸びる線状等のものをコロとして用いても良い。
【０１１１】
他方、凸部の配列としては等間隔が考えられるが、千鳥状としたり、等間隔としなくとも良く、また、凸部を１列に配置してコンタクトエンボスを連続して付与する他に、凸部を２列以上の複数列配置することも考えられる。そして、コンタクトエンボスを緊密に複数列付与するように凸部が配置された群を複数並べて、複数のコンタクトエンボス群を付与するようにしても良い。尚、接合工程としては、上記のように機械的に圧力を加えて接合する他に、超音波等の他の手段により接合しても良い。
【０１１２】
（スリット工程及び巻き取り工程）
本第１の実施形態にかかるプライマシンＸ２は、コンタクトエンボス付与手段５４の後段にスリット手段５５を有し、水系ローション薬液及びサイズ剤が付与されコンタクトエンボスが付与された積層連続シートＳ２がスリット手段５５に供給される。
【０１１３】
スリット手段５５は、積層連続シートＳ２の幅方向に間隔を開けて並設された複数のロールカッター及び受け部からなり、かかるスリット手段５５において積層連続シートＳ２は、ティシュペーパーの幅又はその複数倍幅となるようにスリットされる。
【０１１４】
そして、スリットされた積層連続シートＳ２は、巻き取り手段５６に案内されて巻き取られ二次原反ロールＲとされる。この際、スリットされた各積層連続シートは、同軸で巻取られ、ティシュペーパーの製品幅又はその複数倍幅の複数の二次原反ロールＲが同時に形成される。ここで、巻取り手段５６は、スリットされた各積層連続シートを二次原反ロールＲに案内するための２つのワインディングドラム５６Ａを有していて、これら２つのワインディングドラム５６Ａが二次原反ロールＲの外周面に接して積層連続シートＳ２を案内している。
【０１１５】
かくして本発明にかかる二次原反ロールＲが形成される。
【０１１６】
（その他）
ここで、本発明におけるプライマシンＸ２においては、二次原反ロールＲを製造するにあたって、加工速度を３５０〜１１００ｍ／分、好ましくは７００〜１１００ｍ／分、より好ましくは９００〜１０００ｍ／分とするのが望ましい。３５０ｍ／分未満だと十分な生産性とは言えない。他方、１１００ｍ／分超過であると安定的に生産するのが困難となる。特に７００ｍ／分、より好ましく９００ｍ／分であると後段のマルチスタンド式インターフォルダへの供給、十分なストック管理が可能になるなど生産性を高めるうえで好ましい。１０００ｍ／分以下とすると安定性がより優れる。
【０１１７】
なお、少なくとも速度は３５０ｍ／分以上、通常は７００ｍ／分以上、好ましくは９００ｍ／分以上の加工速度は極めて高速な加工速度である。
【０１１８】
他方、本第１の実施形態では、図３（Ａ）に示すように再重ね合わせ部後の積層連続シートＳ２は、一方外面のみにローション薬液が付与され、他方外面にはローション薬液が付与されていないものとなり、ティシュペーパーの両面で肌触り、使用感が異なることが懸念される（図中、ローション薬液が位置する領域をＬｒ、サイズ剤が位置する領域をＳｒとして示す。他の図面でも同様）。しかし、二次連続シートを巻取った二次原反ロールでは、図３（Ｂ）に示すように、ある積層連続シートの薬液が付与された連続シートＳ１１の薬液付与面と前記積層連続シートに隣接する他の積層連続シートの薬液及びサイズ剤が付与されていない連続シートＳ１２の表面とが互いに相対した状態で保たれる。そして、本発明ではこのような二次原反ロールＲの状態で次の工程（マルチスタンド式インターフォルダでの加工等）へ供する時間、あるいはその前にロールの状態で静置する時間が確保されるため、その時間において積層連続シート間の薬液成分が少しずつ転移し、最終的には図３（Ｃ）のように積層連続シートの両外面にローション薬液が位置するものとなる。
【０１１９】
ここで、このような二次原反ロールＲにおける積層連続シート間の薬液移行は、上記ローション薬液・サイズ剤付与工程の欄で述べた付与態様とすることで好適に生ずることとなる。なお、上記ローション薬液・サイズ剤付与工程においてサイズ剤の付与とローション薬液の付与とが図示例の如く時間差をもって付与する場合には、サイズ剤を先に付与するのが望ましい。サイズ剤は付与面の表面位置にとどまるため、かかるサイズ剤によって水系のローション薬液の浸透が抑制されローション薬液が付与面にとどまりやすくなり、二次原反ロールとした際に、特に好適に上述の積層連続シート間の薬液移行が行なわれるようになる。
【０１２０】
ここで、本第１の実施形態にかかるプライマシンＸ２においては、ローション薬液及びサイズ剤付与手段５３をバイパスする搬送経路を有する（連続シートＳ１２の経路）。従って、この搬送経路を利用することで、ローション薬液及びサイズ剤が付与されないティシュペーパー製品を製造することが可能である。すなわち、本製造方法、製造設備では、ローション薬液及びサイズ剤の付与の有無を容易に切り替えることが可能となる。これにより、ローション薬液付与設備やサイズ剤付与設備を別途に用意する必要なく、ローション薬液及びサイズ剤を付与したティシュペーパー製品の製造と、ローション薬液及びサイズ剤を付与しないティシュペーパー製品の製造を適宜切り替えて製造することが可能となる。
【０１２１】
なお、本第１の実施形態では、重ね合わせ部５１、カレンダー部５２、プライ剥離部５７を有さず、一次原反ロールＪＲから巻きだした一次連続シートＳ１１直接的に各薬液付与装置５３Ａ，５３Ｂに供給し、他の一次連続シートを直接的に再重ね合わせ部５８に供給するようにしてもよい。この場合、再重ね合わせ部５８が重ね合わせ部５１に代わる積層手段となることになる。
【０１２２】
また、カレンダー部５２が重ね合わせ部５１及びプライ剥離部５７を兼用するようにしてもよい。
【０１２３】
〔マルチスタンド式インターフォルダにおける工程及び収納工程〕
上述のプライマシンＸ２で製造された二次原反ロールＲは、マルチスタンド式インターフォルダに多数セットされ、セットされた二次原反ロールＲから二次連続シートを繰り出して折り畳むと共に積層することによってティシュペーパー束が製造される。以下では、そのマルチスタンド式インターフォルダの一例について説明する。
【０１２４】
図５〜図７に、マルチスタンド式インターフォルダの一例を示した。図中の符号２は、マルチスタンド式インターフォルダ１の図示しない二次原反ロール支持部にセットされた二次原反ロールＲ，Ｒ…を示している。この二次原反ロールＲ，Ｒ…は、必要数が図示平面と直交する方向（図５における水平方向、図６における紙面前後方向）に横並びにセットされている。各二次原反ロールＲは、上述のティシュペーパー製品用二次原反ロールの製造設備、製造方法でティシュペーパー製品幅にスリットが入れられており、ティシュペーパー製品の複数倍幅、図示例では２倍幅で巻き取られ、セットされている。
【０１２５】
二次原反ロールＲから巻き出された連続する帯状の二次連続シート３Ａ及び３Ｂは、ガイドローラＧ１、Ｇ１等のガイド手段に案内されて折り畳み機構部２０へ送り込まれる。また、折り畳み機構部２０には、図７に示すように、折板Ｐ，Ｐ…が必要数並設されてなる折板群２１が備えられている。各折板Ｐに対しては、一対の連続する二次連続シート３Ａ又は３Ｂを案内するガイドローラＧ２，Ｇ２やガイド丸棒部材Ｇ３，Ｇ３が、それぞれ適所に備えられている。さらに、折板Ｐ，Ｐ…の下方には、折り畳みながら積み重ねられた積層帯３０を受けて搬送するコンベア２２が備えられている。
【０１２６】
この種の折板Ｐ，Ｐ…を用いた折り畳み機構は、例えば、米国特許４０５２０４８号特許明細書等によって公知の機構である。この種の折り畳み機構は、図８に示すように、各連続する二次連続シート３Ａ，３Ｂ…を、Ｚ字状に折り畳みながら、かつ隣接する連続する二次連続シート３Ａ，３Ｂ…の側端部相互を掛け合わせながら積み重ねる。
【０１２７】
図１０〜図１３に、折り畳み機構部２０の特に折板Ｐに関する部位を、詳しく示した。本折り畳み機構部２０においては、各折板Ｐに対して、一対の連続する二次連続シート３Ａ及び３Ｂが案内される。この際、連続する二次連続シート３Ａ及び３Ｂは、ガイド丸棒部材Ｇ３，Ｇ３によって、側端部相互が重ならないように位置をずらされながら案内される。
【０１２８】
折板Ｐに案内された時点で下側に重なっている連続する二次連続シートを第１の連続する二次連続シート３Ａとし、上側に重なっている連続する二次連続シートを第２の連続する二次連続シート３Ｂとすると、これら連続する二次連続シート３Ａ及び３Ｂは、図８及び図１１に示すように、第１の連続する二次連続シート３Ａの第２の連続する二次連続シート３Ｂと重なっていない側端部ｅ１が、折板Ｐの側板Ｐ１によって、第２の連続する二次連続シート３Ｂの上側に折り返されるとともに、図８及び図１２に示すように、第２の連続する二次連続シート３Ｂの第１の連続する二次連続シート３Ａと重なっていない側端部ｅ２が、折板ＰのスリットＰ２から折板Ｐ下に引き込まれるようにして下側に折り返される。この際、図８及び図１３に示すように、上流の折板Ｐにおいて折り畳みながら積み重ねられた連続する二次連続シート３Ａの側端部ｅ３（ｅ１）が、折板ＰのスリットＰ２から第２の連続する二次連続シート３Ｂの折り返し部分間に案内される。このようにして、各連続する二次連続シート３Ａ，３Ｂ…は、Ｚ字状に折り畳まれるとともに、隣接する連続する二次連続シート３Ａ及び３Ｂの側端部相互が掛け合わされ、したがって、製品使用時において、最上位のティシュペーパーを引き出すと、次のティシュペーパーの側端部が引き出されることになる。
【０１２９】
以上のようにしてマルチスタンド式インターフォルダ１で得られた積層帯３０は、図５に示すように、後段の切断手段４１において流れ方向ＦＬに所定の間隔をおいて裁断（切断）されてティシュペーパー束３０ａとされ、図９（ａ）に示すように、このティシュペーパー束３０ａは、更に後段設備において収納箱Ｂに収納される。
【０１３０】
かくして、本第１の実施形態にかかるティシュペーパー製品が製造される。
【０１３１】
なお、以上のようなマルチスタンド式インターフォルダ１では、積層帯３０の紙の方向は、流れ方向ＦＬに沿って縦方向（ＭＤ方向）となっており、流れ方向と直交する方向に沿って横方向（ＣＤ方向）となっている。このため、積層帯３０を所定の長さに切断して得られたティシュペーパー束３０ａを構成するティシュペーパーの紙の方向は、図９（ａ）に示すように、ティシュペーパーの折り畳み部の延在方向に沿って縦方向（ＭＤ方向）となり、ティシュペーパーの折り畳み部の延在方向と直交する方向に沿って横方向（ＣＤ方向）となる。
【０１３２】
図９（ｂ）に、収納箱Ｂにティシュペーパー束３０ａを収納して成る製品の一例を示した。収納箱Ｂの上面にはミシン目Ｍが設けられており、このミシン目Ｍで収納箱Ｂ上面の一部を破断することにより収納箱Ｂの上面が開口するようになっている。この開口は中央にスリットを有するフィルムＦによって覆われており、このフィルムＦに設けられたスリットを介してティシュペーパーＴを取出すことができるようになっている。
【０１３３】
ところで、前述したように、ティシュペーパー束３０ａを構成するティシュペーパーの紙の方向は、ティシュペーパーの折り畳み部の延在方向と直交する方向に沿って横方向（ＣＤ方向）となるため、図９（ｂ）に示すように、ティシュペーパーＴを収納箱Ｂから引き出す際には、その引き出し方向は、ティシュペーパーＴの横方向（ＣＤ方向）と沿うようになっている。
【０１３４】
以上のとおり、本第１の実施形態によれば、表裏面（積層外面）にローション薬液が位置され、積層内面にサイズ剤が位置された態様の二次連続シートＳ２が最終的に形成され、これを用いてマルチスタンド式インターフォルダにて折り畳みティシュペーパー製品とする。従って、ローション薬液が表面（外面）に位置され、サイズ剤が積層内面に位置された態様のティシュペーパーが低コストかつ高い生産性で製造することができる。
【０１３５】
そして、本第１の形態にかかるティシュペーパーは、表面にローション薬液が付与されていることから表面の保湿性等に優れ、しかも鼻水等の裏抜け防止性の高いものとなる。
【０１３６】
『第２の実施形態』
次いで、本発明の第２の実施形態を図１４を特に参照しながら説明する。なお、本形態はプライマシンＸ２における一部工程が第１の実施形態と異なる態様である。〔抄紙工程：一次原反ロールの製造方法及び製造設備〕及び〔マルチスタンド式インターフォルダにおける工程及び収納工程〕については第１の実施形態と同様であり、上記説明のとおりである。
【０１３７】
本第２の実施形態は、第１の実施形態のプライマシンＸ２に３つの原反ロールをセットし、積層連続シートＳ２を構成する各連続シートを３枚の一次連続シートＳ１１、Ｓ１２、Ｓ１３からなるものとした形態の具体例を示すものである。
【０１３８】
図示の本第２の実施形態では、プライ剥離部５７において、二層積層の連続シートＳ１１，Ｓ１２と単層の連続シートＳ１３とに分離し、単層の連続シートＳ１３についてはローション薬液及びサイズ剤の付与手段５３をバイパスさせる。
【０１３９】
この本第２の形態においても、コンタクトエンボス付与後の積層連続シートＳ２は、図１５（Ａ）のように一方外面にローション薬液もサイズ剤も付与されていない面となるが、二次原反ロールとした際に、図１５（Ｂ）に示すように、ある積層連続シートを構成する連続シートＳ１１のローション薬液付与面と、他の積層連続シートのサイズ剤及びローション薬液が付与されていない連続シートＳ１３とが対面するようになるため、最終的には図１５（Ｃ）のような薬液移行が生ずることとなり、表裏面にローション薬液が付与されたティシュペーパーとなる。すなわち、第１の実施形態で述べたのと同様の作用効果を奏することになる。  
【０１４０】
本第２の実施形態によれば、第１の実施形態と同様の作用効果を奏するほか、多プライによる厚み、吸水性、保水性が向上されたものとなる。そして、本第２の実施形態では、かかる機能のティシュペーパーを高い生産性でかつ低コストで提供することが可能となる。なお、第２の実施形態では、３プライの例で説明したが、４プライ以上としても同様の効果を奏する。
【０１４１】
なお、本第２の実施形態にかかる図１４のプライマシンＸ２と、第１の実施形態にかかる図２プライマシンＸ２について、各図を比較してみると理解されるように、同一のプライマシンとすることができる。
【０１４２】
『第３の実施形態』
次いで、本発明の第３の実施形態を図１６を特に参照しながら説明する。本形態もまたプライマシンＸ２における一部工程が第１の実施形態と異なる態様である。〔抄紙工程：一次原反ロールの製造方法及び製造設備〕及び〔マルチスタンド式インターフォルダにおける工程及び収納工程〕については第１の実施形態と同様であり、上記説明のとおりである。
【０１４３】
本第３の実施形態にかかるプライマシンＸ２は、第２の実施形態にかかるプライマシンにおいて、積層連続シートＳ１１、Ｓ１２のローション薬液付与面とサイズ剤付与面とが入れ替わるようにローション薬液及びサイズ剤の付与手段５３を構成し、さらに、第２の実施形態のプライマシンＸ２のローション薬液及びサイズ剤の付与手段５３をバイパスする連続シートＳ１３が通る搬送経路に別のサイズ剤付与手段５３Ｃを設置して、この別のサイズ剤付与手段５３Ｃにおいて連続シートＳ１３に対して後段の再重ね合わせ部５８で積層連続シートＳ２とされた際に積層連続シートの外面となる面にサイズ剤を付与するようにした形態である。
【０１４４】
本第３の実施形態では、重ね合わせ部５８後の積層連続シートＳ２は、図１７に示すように、両外面にサイズ剤が位置し、中間プライにローション薬液が位置されたものとなる。本形態では、サイズ剤が両外面に位置するので二次原反ロールとした際にローション薬液の二次連続シート間における薬液移行は生じがたい。したがって、ティシュペーパーとなった際にも図１７のようなサイズ剤、ローション薬液の態様となる。
【０１４５】
本第３の実施形態にかかるティシュペーパーでは、外面がサイズ剤によって滑らかであり、さらに、鼻水等の裏抜け防止効果が高いものとなる。また、中間層にローション薬液が付与されたものとなるので紙の芯が柔らかなものとなる。
【０１４６】
なお、本第３の形態例では、両面にサイズ剤が付与される態様のティシュペーパーとなる例を示したが、ローション薬液及びサイズ剤の付与手段５３におけるローション薬液付与面とサイズ剤付与面、さらにサイズ剤付与手段５３Ｃにおけるサイズ剤付与面を適宜変更することで種々の層構造のティシュペーパー製品を製造することができる。これらの場合におけるティシュペーパー製品の利点は、上記ローション薬液及びサイズ剤の効果、付与位置から理解されるであろう。
【０１４７】
『ローション薬液及びサイズ剤の付与装置の具体例』
上記各実施形態に共通するプライマシンＸ２におけるローション薬液、サイズ剤の付与装置（薬液付与手段５３を構成する装置５３Ａ、５３Ｂ）の具体例について以下さらに詳述する。なお、ローション薬液、サイズ剤（サイズ薬液）の付与装置は、共通の形式のものを用いることができ、以下、ローション薬液、サイズ剤（サイズ薬液）の付与装置を分けることなく単に薬液付与装置の例として説明する。また、ローション薬液、サイズ剤（サイズ薬液）を区別しない場合には単に『薬液』と称して説明する。ローション薬液、サイズ剤で特に異なる点については適宜、説明する。
【０１４８】
〔フレキソ印刷〕
薬液付与手段５３としてフレキソ印刷機を用いた例は図１８〜２４を参照しながら説明する。フレキソ印刷は樹脂性の弾力性がある刷版を用いるため積層連続シートＳ１１，Ｓ１２或いは各連続シートＳ１１，Ｓ１３（以下、単に連続シートＳ１１等という）の表面にクレープの多少の凹凸があっても印圧で調整可でありムラのない塗工が可能であり、特に７００ｍ／分以上、更に９００ｍ／分の高速塗工を行なってもローション薬液、サイズ剤付与後の連続シートＳ１１等にシワが入り難くなる。また、一つのロールで幅広い薬液の粘度に対応でき、管理、設備メンテナンスの点で利点があり、生産性向上の点でも優れる。
【０１４９】
ここで、特にローション薬液を塗工する場合、フレキソ刷版ロールの線数は１０〜６０線、好ましくは１５〜４０線、特に好ましくは２０〜３５線とする。線数が１０線未満であると塗工ムラが多く生じてしまい、他方、線数が６０線超過であると紙粉が詰まり易くなる。
【０１５０】
アニロックスロールの線数は、１０〜３００線とし、好ましくは２５〜２００線、特に好ましくは５０〜１００線とする。線数が１０線未満であると高速塗工時に塗工ムラが多く生じてしまい、他方、線数が３００線超過であると紙粉が詰まり易くなる。アニロックスロールのセル容量は、１０〜１００ｃｃとし、好ましくは１５〜７０ｃｃ、特に好ましくは３０〜６０ｃｃとする。セル容量が１０ｃｃ未満であると所望の塗工量が得られず、他方、セル容量が１００ｃｃ超過であるとローション薬液の飛散量が多くなってしまう。
【０１５１】
ここで、本発明では、薬液付与装置において安定的にローション薬液を付与できることが重要であり、操業安定性に関わる上記刷版ロール及びアニロックロールの線数は重要である。
【０１５２】
なお、貯留タンクに貯留した薬液をアニロックスロールへ移行させる方式としては、ドクターチャンバー形式、タッチロール形式など適宜の方法が採られる。これらのフレキソ印刷の各方式を採用した形態例を以下、さらに詳述する。
【０１５３】
フレキソ印刷では、プライマシンＸ２における上記例示の高速な加工速度において極めて安定的に薬液の付与を行える点で優れる。
【０１５４】
（ドクターチャンバー方式の実施形態例）
フキレソ印刷におけるドクターチャンバー形式を本発明に適用した形態例を、特に図１８〜図２３を参照しながら説明する。
【０１５５】
本例では、連続シートＳ１１等の各面にローション薬液とサイズ剤を塗工すべく二つのフレキソ印刷機９１Ａ，９１Ｂを用いた例で説明する。
【０１５６】
各印刷機９１Ａ，９１Ｂにおいては、薬液の入っているドクターチャンバー９２Ａ，９２Ｂが回転可能なアニロックスロール９３Ａ，９３Ｂと対向して配置されおり、ドクターチャンバー９２Ａ，９２Ｂからアニロックスロール９３Ａ，９３Ｂに薬液を受け渡すようになっている。また、このアニロックスロール９３Ａ，９３Ｂと接し且つ連続シートＳ１１の一面とも接する刷版ロール９４Ａ，９４Ｂが回転可能に設置されていて、このアニロックスロール９３Ａ，９３Ｂから刷版ロール９４Ａ，９４Ｂに薬液を受け渡すようになっている。そして、連続シートＳ１１等を挟んでこの刷版ロール９４Ａ，９４Ｂと対向する弾性ロール９５Ａ，９５Ｂとで連続シートＳ１１等に圧力を塗工しつつ、刷版ロール９５Ａ，９５Ｂから連続シートＳ１１等に薬液を塗工する。
【０１５７】
各ドクターチャンバー９２Ａ，９２Ｂは、供給ホース９６及び返送ホース９７を介して薬液Ｌ（ローション薬液或いはサイズ薬液）を貯留する貯留タンク９８と連結されており、薬液循環経路の一部を構成する（以下、各印刷機９１Ａ，９１Ｂについて同様の構成を説明するについては、ドクターチャンバー９１Ａ（９１Ｂ）のように一方を括弧書きで表記する場合がある）。図示はしないが、薬液循環経路を循環するサイズ薬液中に含まれる紙粉やエアーのろ過装置、ドクターチャンバー９２Ａ、９２Ｂ等の塗工装置内で薬液の温度を監視・コントロールし、薬液粘度を安定させるための中間タンクや配管ヒーターを設置することができる。
【０１５８】
貯留タンク９８からドクターチャンバー９１Ａ（９１Ｂ）への薬液供給は、供給ポンプ９９によって供給ホース９６を介して加圧供給で行われ、薬液の押出量（流量）は、調整弁１００の開閉により調整される。また、ドクターチャンバー９１Ａ（９１Ｂ）から、貯留タンク９８への薬液の返送は、吸引ポンプ１０１によって返送ホース９７を介して行なわれる。
【０１５９】
また、ドクターチャンバー９１Ａ（９１Ｂ）は、薬液が貯留されるチャンバー部１０２及びブレード１０３，１０４を具備する。チャンバー部１０２はアニロックスロール９３Ａ（９３Ｂ）側の端部が開口しているとともに供給ホース９６及び返送ホース９７とが接続部１０５，１０６を介して連結されており、各ホース９６，９７を介して行なわれる薬液循環の際に薬液Ｌを貯留してアニロックスロール９３Ａ（９３Ｂ）に供給する。他方、ブレード１０３，１０４は、アニロックスロール９３Ａ（９３Ｂ）と当接するように設けられ、アニロックスロール９３Ａ（９３Ｂ）に押しつけた状態で薬液Ｌの絞りを行い、アニロックスロール９３Ａ（９３Ｂ）への薬液の供給量を一定とする。
【０１６０】
他方、図２０に示すように、薬液Ｌの返送路となる返送ホース９７とチャンバー部１０２との接続部１０６の上面には、所定径の開口部分である孔部１０６ａが形成されており、この孔部１０６ａにより接続部内の薬液Ｌが外気接触し、吸引ポンプ１０１による薬液Ｌの吸引を行っても、薬液Ｌが外気接触して、チャンバー部１０２内の内圧を外気圧に近づけることができるように構成されている。これによってドクターチャンバー内の内圧変動が抑えられている。なお、当該孔部１０６ａは、チャンバー部１０２の内圧変動が抑えられればよいため、例えば、チャンバー部１０２の上面に連通するように形成してもよい。孔部１０６ａは、チャンバー部１０２の薬液Ｌの液面より上方であれば、側面に設けてもよい。
【０１６１】
また、孔部１０６ａにはチャンバー部１０２への薬液供給過多を判別するための判別手段が設けられる。判別手段は、例えば、孔部１０６ａ側を下端として、上方に延伸した透明又は半透明のチューブ状の部材１０６ｂが例示でき、薬液Ｌを循環する過程で、薬液Ｌが孔部を介して当該チューブ１０６ｂ内に流入するか否かを目視により確認することができる。チューブ１０６ｂ内への流入が確認された場合は、チャンバー部１０２に貯留される薬液量が過多になっている（アニロックスロール９１Ａ（９１Ｂ）に対して薬液Ｌが過供給状態となっている）ことが把握できる。したがって、上記過多の状態を目視で確認した使用者は、例えば、調整弁１００操作して薬液Ｌの押出量（流量）を調整することにより、当該過多の状態を解消することができる。なお、チューブ１０６ｂは、内部が空洞で上端側が外気に接触しているため、上記孔部１０６ａの作用を相殺してしまうことはない。
【０１６２】
なお、チューブ１０６ｂの上端（自由端）を下向きにして設けることで、孔部１０６ｂへの紙粉等の異物の混入を防止することができる。また、チューブ１０６ｂの上端或いは孔部にエアーフィルタを設置して紙粉等の異物の混入を防止するように構成してもよい。
【０１６３】
なお、薬液Ｌのチャンバー部１０２への過供給状態は、これを自動的に判別し、使用者に判別結果を報知するように構成してもよい。
【０１６４】
この例は、図２１に示すように孔部１０６ａの周縁を上方向に延出させた円筒状部１０６ｃにセンサ１０６ｄを取付け、このセンサ１０６ｄからの信号を受けて報知部から判別結果を報知する。
【０１６５】
センサ１０６ｄは、例えば、被検知体に向けて発光する発光素子（図示省略）と、被検知体からの反射光を受光する受光素子（図示省略）と、を含み、受光素子からの反射光の受光量に基づいて、円筒状部１０６ｃに流入する薬液Ｌの高さが、当該センサ０６ｄの設けられた高さ位置（図２１に示すｙ１）に達したか否かを検知する。
【０１６６】
報知部１０６ｅは、例えば、スピーカ等であり、センサ１０６ｄにより、円筒状部１０６ｃに流入する薬液Ｌの高さが、上記センサ１０６ｄの設けられた高さ位置に達したと検知された場合に、音声により使用者への報知を行う。
【０１６７】
本例では、過多の状態に至った場合には、使用者は報知部１０６ｅによりその旨を知ることができ、調整弁１００を操作してサイズ薬液Ｌの押出量（流量）を調整することにより、当該過多の状態を解消することが可能となる。
【０１６８】
さらに、図２２に示すように、薬液Ｌのチャンバー部１０２への過供給状態の判別は、自動判別機能に加えて、円筒状部１０６ｃにニードルバルブ及びオリフィスを備えるニードルバルブ構造の調整部１０６ｆを設けて、孔部１０６ｂの外気と接触する部分の開口の量を調整するように構成することができる。このように調整部１０６ｆにより、孔部１０６ｂの実質的な開口量を調整することにで、チャンバー部１０２内の内圧変動量に応じて、孔部１０６ｂの開口量を適宜に調整することができる。従って、センサ１０３ｅにより、円筒状部１０６ｃに流入する薬液Ｌの高さが、検出位置に達したときに、薬液Ｌの押出量の調整で対処するだけでなく、調整部１０６ｆによる孔部１０６ｂの実質的な開口量の調整によって、孔部１０６ｂのエアー抜きの能力を高めて（外気との接触面積を拡張して）、チャンバー部１０２内の内圧変動を抑える対処が可能となる。これにより、内圧変動によるチャンバー部１０２内からの薬液Ｌの噴出や、アニロックスロール９３Ａ（９３Ｂ）上のサイズ薬液Ｌのドクターチャンバー９２Ａ（９２Ｂ）側への吸込み等も好適に防止され、薬液Ｌの循環が促進される。
【０１６９】
他方、ドクターチャンバー方式のフレキソ印刷機は、アニロックスロール９３Ａ（９３Ｂ）は、ドクターチャンバー９２Ａ（９２Ｂ）のブレード１０３，１０４と当接するように設けられ、ドクターチャンバー９２Ａ（９２Ｂ）のチャンバー部１０２の開口より供給される薬液Ｌが周面に吸着されるように構成されている。
【０１７０】
刷版ロール９４Ａ（９４Ｂ）は、周面がゴム材などの樹脂製材からなる円柱状をなし、左右端部の周面（図１９に示す点Ｐ１，点Ｐ２）がアニロックスロール９３Ａ（９３Ｂ）及び弾性ロール９５Ａ（９５Ｂ）（に巻きつけられる連続シートＳ１１等）の周面に当接するように設けられ、回動可能に構成されている。
【０１７１】
刷版ロール９４Ａ（９４Ｂ）は、弾性ロール９５Ａ（９５Ｂ）がｒ１方向に回動することでｒ２方向に回動するとともに、右端で当接するアニロックスロール９３Ａ（９３Ｂ）をｒ１方向に回動させる。刷版ロール９４Ａ（９４Ｂ）は、アニロックスロール９３Ａ（９３Ｂ）の周面に吸着された薬液Ｌを点Ｐ２にて取得し、ｒ２方向への回動により点Ｐ１まで搬送して連続シートＳ１１等に転写する。アニロックスロール９３Ａ（９３Ｂ）により吸着された薬液Ｌがアニロックスロール９３Ａ（９３Ｂ）の周面上に層状に不均一に残ってしまう場合でも、刷版ロール９４Ａ（９４Ｂ）の周面に移送させることで、連続シートＳ１１等に薬液Ｌを均一に転写することができる。
【０１７２】
弾性ロール９５Ａ（９５Ｂ）は、刷版ロール９４Ａ（９４Ｂ）に隣接して設けられ、図示しないモータ等より駆動力が塗工されることで回動する円柱状の部材であり、周面で連続シートＳ１１等を把持できるように構成されている。そのため、弾性ロール９５Ａ（９５Ｂ）は、ｒ１方向に回動することにより、供給される連続シートＳ１１等を周面に巻き付けるとともに、刷版ロール９４Ａ（９４Ｂ）及びアニロックスロール９３Ａ（９３Ｂ）を回動させ、点Ｐ１位置まで搬送した時点で刷版ロール９４Ａ（９４Ｂ）より薬液Ｌを転写させることができる。
【０１７３】
なお、弾性ロール９５Ａ（９５Ｂ）の回動の向きは、図１９においてｒ１方向としたが、ｒ２方向に回動するように構成しても勿論良い。この場合、アニロックスロール９３Ａ（９３Ｂ）及び刷版ロール９４Ａ（９４Ｂ）は図１９とは逆方向（つまり、アニロックスロール９３Ａ（９３Ｂ）：ｒ２方向、刷版ロール９４Ａ（９４Ｂ）：ｒ１方向）に回動する。
【０１７４】
ここで、図１９に示す例では、チャンバー部１０２に供給ホース９６及び返送ホース９７が各一つのみ繋がる構成であるが、チャンバー部１０２内における幅方向のサイズ薬液Ｌを均質にすべく、好ましく図２３（Ａ）〜（Ｃ）に示す構造を例示できる。その図２３（Ａ）は、幅広に形成されて回転軸Ｒ０廻りに回転するアニロックスロール９３Ａ（９３Ｂ）に沿って幅広の長方形状に外枠が形成されたドクターチャンバー９２Ａ（９２Ｂ）の幅方向Ｄの左右端付近の箇所に、それぞれ供給ホース９６が連結され、中央部に返送ホース９７に繋がる構造例である。図２３（Ｂ）は、幅方向Ｄに３つの供給ホース９６と２つの返送ホース９７とが交互に等間隔で繋がる構造例である。図２３（Ｃ）は、チャンバー部１０２の上側寄りの複数箇所にそれぞれ供給ホース９６が繋がり、下側寄りの複数箇所にそれぞれ返送ホース９７繋がる構造例である。
【０１７５】
（２ロール転写方式の実施形態例）
次いで、フキレソ印刷における２ロール転写形式を適用した形態例を図２４を参照しながら説明する。本形態例でも、連続シートＳ１１等の表裏面にローション薬液とサイズ剤を付与すべく二つのフレキソ印刷機９１Ｃ，９１Ｄを用いた例で説明する。各印刷機９１Ｃ，９１Ｄにおいては、薬液Ｌの入っている薬液タンク９８Ｃ，９８Ｄに回転可能な絞りロールでもあるディップロール９２Ｃ，９２Ｄが浸され、このディップロール９２Ｃ，９２Ｄが薬液タンク９８Ｃ，９８Ｄ外で回転可能なアニロックスロール９３Ｃ，９３Ｄに接しており、適当に薬液量が調整され量の薬液をアニロックスロール９３Ｃ，９３Ｄに受け渡す。薬液Ｌをアニロックスロール９３Ｃ，９３Ｄに受け渡すに、ディップロール９２Ｃ，９２Ｄを介することから２ロール転写方式と称される。ここで、ディップロール９２Ｃ，９２Ｄは薬液タンク９８Ｃ，９８Ｄから薬液Ｌを取り上げるとともに過剰な薬液をそのままアニロックスロール９３Ｃ，９３Ｄに受け渡さないようにする調整する役割を果たす。
【０１７６】
アニロックスロール９３Ｃ，９３Ｄは刷版ロール９４Ｃ，９４Ｄに接しており、ディップロール９２Ｃ，９２Ｄから転写された薬液Ｌを刷版ロール９４Ｃ，９４Ｄに受け渡す。刷版ロール９４Ｃ，９４Ｄは回転可能に設置され、アニロックスロール９３Ｃ，９３Ｄと接しているとともに、連続シートＳ１１等の一面とも接しており、連続シートＳ１１等を挟んで対向する弾性ロール９５Ｃ，９５Ｄとで連続シートＳ１１等に圧力を塗工しつつ連続シートＳ１１等に薬液Ｌを塗工する。
【０１７７】
この２ロール転写方式においては、アニロックスロール９３Ｃ、９３Ｄに対してドクターブレードを設けても良く、この場合、薬液Ｌを均一に塗工できる、アニロックスロール９３Ｃ、９３Ｄから薬液Ｌが飛散してしまうことを防止できるなどのメリットを享受できるが、この反面、高速塗工ではドクターブレードを手入れしたり交換したりする頻度が高まるというデメリットはある。
【０１７８】
なお、薬液タンク９８Ｃ，９８Ｄには、図示はしないが、薬液中に含まれる紙粉やエアーのろ過装置、サイズ薬液の温度を監視・コントロールし、サイズ薬液粘度を安定させるための配管ヒーター、連続シートＳ１１等の幅方向の水分率で塗工量を管理するための赤外線の検査機等を用いた紙幅方向の水分量とバラツキを監視するセンサ等を設置することができる。
【０１７９】
（１ロール転写形式の実施形態）
次いで、フキレソ印刷における１ロール転写形式を本発明に適用した場合の形態例を説明する。この例は、前述の２ロール転写形式からディップロールを省略したものである（図面は省略する）。この場合、アニロックスロールが、それぞれ薬液タンクに浸されつつ回転可能に設置される。また、これらのアニロックスロールに対しては、アニロックスロール表面の薬液を掻き取るドクターブレードを設置する。このようなフレキソ１ロール転写形式は、メンテナンスが比較的容易であるという利点や、ブレードの摩耗やサイズ薬液中の紙粉等の異物の混入状態を容易に目視できるという利点を有している。
【０１８０】
〔グラビア印刷〕
本発明においては付与装置５３Ａ，５３Ｂ，５３Ｃとしてグラビア印刷機を用いることができる。グラビア印刷機の具体例としては、ダイレクトグラビアコーター又はオフセットグラビアコーターなどが例示できる。グラビア印刷を採用する場合、特にローション薬液の付与の場合、グラビアロールの線数は、４０〜１６０線とし、好ましくは６０〜１４０線、特に好ましくは８０〜１２０線である。線数が４０線未満であると薬液飛散量が多くなってしまい、他方、線数が１６０線超過であると紙粉が詰まり易くなる。
【０１８１】
〔スプレー塗工〕
薬液付与装置５３Ａ、５３Ｂ、５３Ｃとしてスプレー塗工装置１１０を用いた例を図２５〜２９を参照しながら説明する。本形態例では、薬液付与手段５３で行なうように、連続シートＳ１１等の各面に薬液を付与する場合、図２５に示すように、側方から連続シートＳ１１等の各面に噴霧可能にペーパーランを設計すればよい。
【０１８２】
なお、スプレー塗工では、周囲薬液が飛散しやすいことから、他の工程への影響を防止すべく、薬液付与装置１１０を被覆するフード５３Ｆを設けるのがよい。
【０１８３】
ここで、スプレー塗工は、具体的にはノズル式噴霧方式、ローターダンプニング噴霧方式等を採用することができる。ノズル式噴霧方式における噴霧用ノズルの型式としては、環状に噴霧する空円錐型ノズル、円形状に噴霧する充円錐型ノズル、正方形状に噴霧する充角錐型、充矩型ノズル、扇型ノズル等が挙げられ、サイズ薬液が二次連続シートの幅方向に対して均一に噴霧されるように、ノズル径、ノズル数、ノズル配列パターン、ノズル配置数、あるいは噴霧距離、噴霧圧力、噴霧角度、および噴霧液の濃度、粘度などを適宜選択して使用することができる。
【０１８４】
また、ノズル式噴霧装置において霧化する方法については、一流体方式、または二流体方式の２種類の方式を選択して使用することができる。このうち一流体噴霧方式は、噴霧するサイズ薬液に対して圧搾空気を用いて直接圧力をかけてノズルから霧滴噴射する、または噴出口付近のノズル側面に開けた微細な穴からノズル内に空気を吸引して霧滴噴射する方式である。また、二流体噴霧方式は、ノズル内部で圧搾空気を噴霧する液体と混合、微粒化する内部混合型、ノズル外部で圧搾空気を噴霧する液体と混合、微粒化する外部混合型、微霧化した霧滴粒子を相互に衝突させて、霧滴粒子をさらに均質化・微粒子化する衝突型等の方式が挙げられる。
【０１８５】
他方、ローターダンプニング噴霧方式については、高速回転する円盤上に噴霧する液を送り出し、円盤の遠心力によって液を微霧滴化するのであり、円盤の回転数変更によって霧滴粒子径の制御を行い、円盤上への送液量変更によって噴霧液量（塗工量）の制御を行なう。ものである。ローターダンプニング塗工装置は、少ない量の噴霧液量を霧滴の飛散を抑えつつ、顔料塗被紙表面に均一に塗工することができ、かつ噴霧速度や霧の粒子径等の調整が容易である利点がある。
【０１８６】
薬液を連続シートＳ１１等の表面に均一に噴霧塗工するためには、霧化されたサイズ薬液の霧滴粒子径はできる限り微小であることが好ましい。しかしながら、霧滴が細かくなりすぎると噴霧した空気の跳ね返りや連続シートＳ１１等の表面に随伴する空気などによって霧滴が押し流され、霧滴が連続シートＳ１１等の表面に付着しにくくなる。このため、噴霧塗工方式においては噴霧距離、噴霧圧力、噴霧角度、噴霧速度を、加えて二流体方式の場合には、噴霧用のサイズ薬液と圧搾空気の混合比、およびサイズ薬液の濃度や粘度等を適宜調節し、塗工条件に適した粒子径に調節することができ、さらに噴霧時に随伴空気の影響が大きい場合は、随伴空気を除去するための吸引装置や邪魔板（整流板）、上述のフード等の設置、および噴霧ノズル先端に高電圧を加えて霧滴粒子を帯電させて、顔料塗被紙への霧適の付着性を向上させる荷電電極（静電噴霧方式）などを追加してもよい。
【０１８７】
連続シートＳ１１等の表面に塗工されずにミストとして浮遊している霧滴粒子は、吸引・回収して再度噴霧することができる。
【０１８８】
図２７には、ノズル式噴霧方式、特に二流体方式の薬液噴霧装置１１０を示した。この装置１１０は、中心に薬液通路１１０Ａが、その周囲にエアー通路１１０Ｂが形成され、薬液通路１１０Ａ先端から噴出された薬液Ｌを、エアー通路１１０Ｂから吐出されたエアーにより微霧化するものであり、ほぼ円錐形状に薬液Ｌを噴霧するようにしたものである。１１０Ｃは外部の保護ケーシングであり、紙粉などからノズルを保護すると共に、必要によりパージエアー通路を通すエアーによりノズルの清掃を行なうことができるようにしたものである。この種の薬液噴霧装置１１０は積層連続シートＳ２等の幅方向に一つ又は複数間隔を置いて設けることができる。
【０１８９】
前述のように噴霧した薬液の跳ね返りや連続シートＳ１１の表面に随伴する空気などによって霧滴が押し流され、霧滴が連続シートＳ１１等表面に付着しにくくなるため、図２８に示すように、一流体方式又は二流体方式の薬液噴霧手段（噴霧ノズル）の周囲から、ケーシング１５３Ｅに形成したエアー供給路から噴出させるエアー１１０Ｇにより、薬液噴霧手段（噴霧ノズル）からの噴霧薬液を取り囲むようにして薬液が連続シートＳ１１等に好適に塗工することができる。
【０１９０】
図２９は、ローターダンプニング噴霧装置１２０の例である。ローターダンプニング噴霧装置１２０は、噴射部１２０Ｃを有する流体室１２０Ｂが高速に回転され、その流体室１２０Ｂ内に薬液Ｌを送り出して、遠心力によって流体室内の薬液を噴射部１２０Ｃから放出させて微霧滴化する。前記流体室１２０Ｂの回転数変更によって霧滴粒子径の制御を行い、流体室への送液量変更によって噴霧液量（付与量）の制御を行なう。ローターダンプニング噴霧装置は、少ない量の噴霧液量を霧滴の飛散を抑えつつ、シート表面に均一に塗布することができ、かつ噴霧速度や霧の粒子径等の調整が容易である利点がある。
【０１９１】
図示例の本形態体のローターダンプニング装置１２０では、好ましく噴霧口１２０Ｄの開閉を行なうシャッター１２０Ｅが設けられており、このシャッター１２０Ｅの開閉により噴霧の有無の制御をすることが可能となっている。
【０１９２】
〔インクジェット印刷〕
薬液付与装置５３Ａ，５３Ｂ，５３Ｃとしてインクジェット印刷機１３０を用いる例を図３０〜３１を参照しながら説明する。
【０１９３】
図示例のインクジェット印刷機１３０は、薬液Ｌの入っているタンク（図示されない）が供給路１３１を介してインクジェットヘッド１３２に接続された構造とされ、前記タンクから供給ポンプ（図示しない）によりインクジェットヘッド１３２に薬液が供給されるようになっている。
【０１９４】
前記インクジェットヘッド１３２の被付与材である連続シートＳ１１等と対向する部分には、この連続シートＳ１１等の幅分に少なくとも対応する形で、複数のノズル孔１３４を直線的に並んで設けているノズル板１３３が配置されている。
【０１９５】
ここで前記ノズル孔１３４から連続シートＳ１１等までの間隔は１〜１０ｍｍ、より好ましくは１〜３ｍｍとするのが望ましい。インクジェット印刷方式では、各ノズル孔１３４から噴射される液滴が極少量であるため周辺気流の環境を受けやすいが、１〜１０ｍｍ、より好ましくは１〜３ｍｍとすれば、その影響は格段に小さい。一般的なフルカラープリンターの紙とノズルの間隔は１〜１．５ｍｍである。人の目は輝度の差異やグラディエーションの表現に敏感であるため、４〜６色の減色混合による十分な色彩表現を得るのにはドット位置の精度は数μｍ以内を求められている。これに対し本発明の薬液付与ではドット位置の精度は１００μｍ以内で十分均一な付与品質が得られる。
【０１９６】
そして、このインクジェットヘッド１３２内には、噴射ユニット１３５が各ノズル孔に対応して複数配置され、各噴射ユニット１３５は、ノズル孔１３４から射出するための薬液を一時的に貯める流体室１３６と、この流体室１３６を挟んでノズル板１３３と対向する部分に配置された振動板１３７とを有し、振動板１３７に当接して流体室１３６外に配置され且つピエゾ素子等により形成される圧電素子（図示されない）とを有している。
【０１９７】
前記圧電素子には、配線を介して制御装置１３８が接続されていて、この制御装置１３８から所定の間隔で圧電素子に電圧が付与されるようになっている。
【０１９８】
かかる構造により、タンクからインクジェットヘッド１３２に供給された薬液は、各ノズル孔１３４に対応して存在する流体室１３６内に送り込まれるようになっていて、必要に応じて制御装置１３８が圧電素子に電圧を加えることで、各ノズル孔１３４から一斉に薬液が噴射されることになり、これに伴い、連続シートＳ１１等の一方の面における幅分全体に亘って薬液が付与されことになる。
【０１９９】
また、本形態のインクジェットヘッド１３２内に圧空１３５が送気するように構成され、前記噴射ユニット１３５から噴射された液滴がノズル孔１３４から圧空にのってシートＳ３に向かうように構成され、紙粉がノズル孔に詰まるのを防止するように構成されている。
【０２００】
尚、上記実施形態では、インクジェットの形式として、オンデマンド方式でピエゾ素子を採用した構造を説明したが、サーマルジェット型を採用しても良い。更に、オンデマンド方式の替りに連続して噴射可能なコンティニュアス方式の噴射装置を採用しても良い。
【０２０１】
ただし、好ましいのは、電子制御によるオンデマンド方式であり、これによって幅方向、流れ方向における付与量変更が容易となる。
【０２０２】
ここで、本形態においてインクジェット印刷方式を採用して、特にローション薬液を付与する場合のより好ましい条件は、ノズル孔からのインク液滴の粒子速度は５〜２０ｍ／秒程度、一つのインク液滴の容量は５〜５０ｐｌ／個である。
【０２０３】
さらに、インク液滴は流れ方向、幅方向に２０〜２００μｍ間隔で液滴を付与するのが望ましい。これにより付与量が増減しても実質的に均一な付与が可能である。幅方向のノズル間隔は１２８〜１０８０ｄｐｉ（５〜４２ライン／ｍｍ、１２８ｄｐｉ×１段〜３６０ｄｐｉ×３段式）とする。
【０２０４】
〔カーテンコーター〕
薬液付与装置としてカーテンコーター１５０を用いた例を説明する。カーテンコーター１５０としては、例えば、図３２に示される従来既知のカーテンコーターが使用できる。なお、カーテンコーターは、薬液の膜を垂下させることから、連続シートＳ１１等に塗工する場合には連続シートＳ１１等の塗工面が上方に位置するようにペーパーランを設計する。なお、かかるカーテンコーターはローション薬液の付与に用いることができるが、サイズ薬液の付与には付与量等の点から採用し難い。
【０２０５】
図３２に示されるカーテンコーター１５０においては、予め調製された薬液Ｌは、塗液貯蔵タンクより給液ポンプ等によってコーターヘッド１５１へ送られる。前記コーターヘッド１５１の内部は、マニホールド１５１ａおよびスリット１５１ｂからなり、それぞれ高精度の仕上げが施されている。供給された疑似接着剤は、前記マニホールド１５１ａに満たされ、更にスリット１５１ｂに送られるときに通過する狭い間隙において、給液ポンプの送液による動圧の影響が軽減され、幅方向における圧力分布が均一化され、リップ１５２より流出し、垂直なカーテン膜１５３Ｌを形成する。
【０２０６】
幅方向でプロファイルが均一となった垂直カーテン膜１５３Ｌは、連続走行している連続シートＳ１１等と接触し、連続シートＳ１１等に塗工される。ここでエッジガイド１５４はコーターヘッド１５１の幅を超えず、更に連続シートＳ１１等の幅を超えて設けられ、垂直カーテン膜は連続シートＳ１１の等幅を超えて形成される。垂直カーテン膜１５３Ｌが連続シートＳ１１等の幅を超えて形成されているのは、垂直カーテン膜１５３Ｌの両端部における薬液Ｌの厚塗りを防止するためである。連続シートＳ１１等の幅を超えて流下する薬液Ｌは、受液槽１５５に回収され、塗液貯蔵タンクに戻された後再び塗工される。また、連続シートＳ１１等が切断され塗工が中断された場合も、薬液Ｌは受液槽１５５に回収されるように構成されている。
【０２０７】
連続走行している連続シートＳ１１等と垂直カーテン膜１５３Ｌとの接触部（以後、「塗工部」という。）には連続シートＳ１１等に同伴する空気流を遮蔽し、カーテン周辺の空気の回流などで垂直カーテン膜１５３Ｌが乱れることなく連続シートＳ１１等に達するようにするため遮風板１５６が設けられている。また、連続シートＳ１１等の搬送方向は、塗工部の直前でロール１５７により方向転換することにより、連続シートＳ１１等に同伴する空気の塗工部への影響を最小限にとどめるように構成されている。なお、安定した状態で塗工するためには、連続シートＳ１１等からコーターヘッド１５１下部の流出部までの高さがある程度必要とされるが、安定に適した高さは６０〜３００ｍｍ、好ましくは１００〜２５０ｍｍ、更に好ましくは１２０〜１８０ｍｍである。
【実施例】
【０２０８】
次に、本発明にかかるティシュペーパー製品の製造方法で製造されたティシュペーパー製品（実施例）と、比較例と対比した。
【０２０９】
なお、表１は、図２に示すプライマシンＸ２により製造した第１の実施形態にかかる製造方法による実施例（図２に示す構造例）と比較例との対比を示している。
表２は、図１４に示すプライマシンＸ２により製造した第２の実施形態にかかる製造方法による実施例（図１５に示す構造例）と比較例との対比を示している。
表３は、図１６に示すプライマシンＸ２により製造した第３の実施形態にかかる製造方法による実施例（図１７に示す構造例）と比較例との対比を示している。
また、表中の比較例については、比較例Ａ１は非保湿系の汎用ティシュペーパーの市販品、比較例Ａ２は、薬液のみを付与した比較例、比較例Ａ５、Ａ６は非保湿系で米坪、紙厚の高い高級タイプのティシュペーパーの市販品である。
【０２１０】
各例における物性・組成等は表中に示すとおりである。詳細には、以下のとおりである。
米坪・・・ＪＩＳ  Ｐ  ８１２４（１９９８）に準じて測定した。２プライのティシュー製品の場合、２プライのシートの平均米坪を記載した。
紙厚・・・ＪＩＳ  Ｐ  ８１１１（１９９８）の条件下で、ダイヤルシックネスゲージ（厚み測定器）「ＰＥＡＣＯＣＫ  Ｇ型」（尾崎製作所製）を用いて測定されるものである（ＪＩＳ  Ｐ  ８１１８（１９９８）に準じる）。
製品密度・・・製品の密度は、ＪＩＳ  Ｐ  ８１１１  条件下において調湿させたティシュペーパー製品米坪を２倍した値（Ｃ）を、「ＰＥＡＣＯＣＫ  Ｇ型」によるティシュペーパー（２プライ）での紙厚（Ｄ）で除した値で、単位をｇ／ｃｍ3、小数点３桁で表す。
乾燥引張強度・・・ＪＩＳ  Ｐ  ８１１３（１９９８）の引張試験方法に準じて測定されるものである。
湿潤引張強度・・・ＪＩＳ  Ｐ  ８１３５（１９９８）に準じて測定されるものである。
伸び率・・・ミネベア株式会社製「万能引張圧縮試験機  ＴＧ−２００Ｎ」を用いて測定されるものである。
ソフトネス・・・ＪＩＳ  Ｌ１０９６  Ｅ法に準じたハンドルオメータ法に基づいて測定されるものである。但し、試験片は１００ｍｍ×１００ｍｍの大きさとし、クリアランスは５ｍｍで実施した。１プライで縦方向、横方向の各々５回ずつ測定し、その全１０回の平均値を小数点１桁とし、ｃＮ／１００ｍｍを単位として表した。
ＭＭＤ・・・静摩擦係数の平均偏差ＭＭＤである。ＭＭＤは滑らかさの指標の一つであり、数値が小さいほど滑らかであり、数値が大きいほど滑らかさに劣るとされる。なお、ＭＭＤ値の測定方法としては、図３３（ａ）に示すように、摩擦子２１２の接触面を所定方向（図３３（ａ）における右斜め下方向）に２０ｇ／ｃｍの張力が付与された測定試料であるティシュペーパー２１１の表面に対して２５ｇの接触圧で接触させながら、張力が付与された方向と略同じ方向に速度０．１ｃｍ／ｓで２ｃｍ移動させる。このときの、摩擦係数を、摩擦感テスター  ＫＥＳ−ＳＥ（カトーテック株式会社製）を用いて測定し、その摩擦係数を摩擦距離（移動距離＝２ｃｍ）で除した値をＭＭＤ値とした。なお、摩擦子２１２は、直径０．５ｍｍのピアノ線Ｐを２０本隣接させてなり、長さ及び幅がともに１０ｍｍとなるように形成された接触面を有している。接触面には、先端が２０本のピアノ線Ｐ（曲率半径０．２５ｍｍ）で形成された単位膨出部が形成されている。なお、図３３（ａ）には、摩擦子２１２を模式的に表し、図３３（ｂ）には、図３３（ａ）における一点鎖線で囲まれた部分の拡大図を示すものとする。
水分率・・・ＪＩＳ  Ｐ  ８１１１（１９９８）の環境下で平衡状態になった後に、ＪＩＳ  Ｐ  ８１２７に準じて測定されるものである。
付与量・・・付与量とは、ＪＩＳ  Ｐ  ８１１１の標準状態におけるティシュペーパーの単位面積に対し含まれる乾燥状態（絶乾）の薬液或いはサイズ剤の成分の付与量を示し、具体的には、付与した薬液中の水分以外の成分の含有量を示すものとする。このティシュペーパーの単位面積とは、プライされたシートを平面に垂直線上にある視点から見た面積であり、プライされた各シート、およびその表裏面の合計面積を意味しない。
薬液含有率・・・薬液含有率とは、ＪＩＳ  Ｐ  ８１１１  条件下において調湿させた所定質量のティシュペーパー製品を分母（Ａ）（ｇ）とし、所定質量のティシュペーパー製品中に含まれる薬液中の水分を除いた質量（Ｂ）（ｇ）を分子として、（Ｂ）を（Ａ）で除した比率を（％）で表す。（薬液含有率％）＝（Ｂ）÷（Ａ）×１００（％）
官能評価・・・消費者８７人を対象に、やわらかさ、なめらかさ、厚み感、しっとり感について下記の基準に基づく官能評価を行った。なお、評価基準は、薬液が付与されていない非保湿系の汎用ティシュペーパーの成績をすべて「３」とし、「大変優れている」と感じたものについては「５」、「優れている」と感じたものについては「４」、「基準と同等」と感じたものについては「３」、「劣る」と感じたものについては「２」、「顕著に劣る」と感じたものについては「１」とした。さらに、ベタつき感の有無についても評価を行い、評価基準は、「ベタつき感が少ない」ものを「○」とし、「明らかにベタつき感がある」ものを「×」とした。
裏抜け評価・・・ガラス製のシャーレの受け皿部にそれより大きめの試料を置き、中央部を窪ませる。その窪みに水分０．１ｃｃを静かに滴下し３０秒後に、その浸透度合いをシャーレの下方より目視で確認する。浸透している部分があれば「×」、浸透している部分が無ければ「○」とした。
吸水度とは、ＪＩＳ  Ｓ−３１０４で記載された「吸水度」のことで、一定量の水分をティシュー表面で吸水する秒数を測定したものである。ティシューの両表側の面を各々５回測定し、計１０回の測定値を平均したものを秒数で表す。
【０２１１】
【表１】
0005911089.tif 000002
【０２１２】
【表２】
0005911089.tif 000003
【０２１３】
【表３】
0005911089.tif 000004
【０２１４】
各表の結果から判るように、本発明によってプライマシンでローション薬液及びサイズ剤を付与したティシュペーパー製品は、比較例と比して水分の浸透性が抑えられ、「裏抜け評価」が高い値を示した。また、柔らかさ、なめらかさにおいて優れる紙質を有することが示された。また、保湿ティシューにみられるベタつき感がないことが示された。
【０２１５】
なお、特に外面にサイズ剤が位置するものが、良好な滑らかさを有する要因については、塗布したサイズ剤がパルプ繊維に定着するとともに、親水基と疎水基の配向が進み、ティシュー表面の表面エネルギーを低下させ、滑らかになったものと考えられる。
【０２１６】
また、実施例から理解されるように本発明においては付与速度を９００ｍ／分としても、十分な品質のティシュペーパー製品が得られ、生産性に優れることが知見された。
【０２１７】
以上より、本発明によればローション薬液及びサイズ剤が付与された、「保湿性」「柔らかさ」「滑らかさ」に優れ、しかも「裏抜け防止」の高いティシュペーパーを生産効率よく製造できることが示された。
【符号の説明】
【０２１８】
５１・・・重ね合わせ部（積層手段）（積層工程）
５２・・・カレンダー手段（平滑化工程）
５３・・・ローション薬液及びサイズ剤付与手段（ローション薬液及びサイズ剤付与工程）
５４・・・コンタクトエンボス手段（コンタクトエンボス工程）
５５・・・スリット手段（スリット工程）
５６・・・巻き取り手段（巻き取り工程）
Ｓ１１、Ｓ１２・・・連続シート
Ｓ２・・・積層連続シート
ＪＲ・・・一次原反ロール
Ｒ・・・二次原反ロール
【図１】
0005911089.tif 000005
【図２】
0005911089.tif 000006
【図３】
0005911089.tif 000007
【図４】
0005911089.tif 000008
【図５】
0005911089.tif 000009
【図６】
0005911089.tif 000010
【図７】
0005911089.tif 000011
【図８】
0005911089.tif 000012
【図９】
0005911089.tif 000013
【図１０】
0005911089.tif 000014
【図１１】
0005911089.tif 000015
【図１２】
0005911089.tif 000016
【図１３】
0005911089.tif 000017
【図１４】
0005911089.tif 000018
【図１５】
0005911089.tif 000019
【図１６】
0005911089.tif 000020
【図１７】
0005911089.tif 000021
【図１８】
0005911089.tif 000022
【図１９】
0005911089.tif 000023
【図２０】
0005911089.tif 000024
【図２１】
0005911089.tif 000025
【図２２】
0005911089.tif 000026
【図２３】
0005911089.tif 000027
【図２４】
0005911089.tif 000028
【図２５】
0005911089.tif 000029
【図２６】
0005911089.tif 000030
【図２７】
0005911089.tif 000031
【図２８】
0005911089.tif 000032
【図２９】
0005911089.tif 000033
【図３０】
0005911089.tif 000034
【図３１】
0005911089.tif 000035
【図３２】
0005911089.tif 000036
【図３３】
0005911089.tif 000037